(57)【要約】      （修正有）【課題】異なるセル特性を有する第１のセルと第２のセルとを使ってサービスするトラフィックに異なるレートで課金する。【解決手段】第１のセルとユーザ機器（ＵＥ）との間でサービスされる第１のトラフィックボリューム、および第２のセルとＵＥとの間でサービスされる第２のトラフィックボリュームを決定する４２０。コアネットワークにおける課金機能において使用するために、第１のトラフィックボリュームおよび第２のトラフィックボリュームのうちの少なくとも１つをワイヤレス通信ネットワークのノードに報告する４２５。【選択図】図４
2018038061.tif 000002
【特許請求の範囲】
【請求項１】
ワイヤレス通信ネットワークにおけるワイヤレス通信のための方法であって、
第１のセルとユーザ機器（ＵＥ）との間でサービスされる第１のトラフィックボリュームを決定することと、
第２のセルと前記ＵＥとの間でサービスされる第２のトラフィックボリュームを決定することと、
前記第１のトラフィックボリュームおよび前記第２のトラフィックボリュームのうちの少なくとも１つを前記ワイヤレス通信ネットワークのノードに報告することと
を備える方法。
【請求項２】
前記第１のトラフィックボリュームおよび前記第２のトラフィックボリュームは、トラフィックの同じストリームに関連付けられる、請求項１に記載の方法。
【請求項３】
前記第１のトラフィックボリュームまたは前記第２のトラフィックボリュームのうちの１つまたは複数は、アクセスポイント名（ＡＰＮ）、デフォルトのデータベアラ、専用データベアラ、ＩＰフロー、またはＴＣＰ接続のうちの１つまたは複数に関連付けられたトラフィックを備える、請求項１に記載の方法。
【請求項４】
前記第１のトラフィックボリュームは、前記第２のトラフィックボリュームとは異なるように課金される、請求項１に記載の方法。
【請求項５】
前記第１のセルはライセンス無線周波数スペクトル帯域を使用し、前記第２のセルは非ライセンス無線周波数スペクトル帯域を使用する、請求項１に記載の方法。
【請求項６】
前記第１のセルと前記第２のセルは異なる無線アクセス技術（ＲＡＴ）を使用する、請求項１に記載の方法。
【請求項７】
前記第１のトラフィックボリュームおよび前記第２のトラフィックボリュームは、ダウンリンクトラフィックボリュームまたはアップリンクトラフィックボリュームのうちの１つまたは複数について決定される、請求項１に記載の方法。
【請求項８】
前記第１のトラフィックボリュームおよび前記第２のトラフィックボリュームはデータトラフィックボリュームを備える、請求項１に記載の方法。
【請求項９】
前記第１のトラフィックボリュームおよび前記第２のトラフィックボリュームは、無線リソース制御（ＲＲＣ）シグナリングトラフィックボリューム、ネットワークアクセス層（ＮＡＳ）シグナリングトラフィックボリューム、および制御チャネル物理シグナリングトラフィックボリュームのうちの少なくとも１つを備える、請求項１に記載の方法。
【請求項１０】
前記第１のトラフィックボリュームおよび前記第２のトラフィックボリュームは、前記第１のセルおよび前記第２のセルによってサービスされる各無線ベアラ向けのトラフィックボリュームを備える、請求項１に記載の方法。
【請求項１１】
前記第１のトラフィックボリュームおよび前記第２のトラフィックボリュームのうちの１つまたは複数は、前記第１のセルおよび前記第２のセルによって提供される各サービスデータフロー（ＳＤＦ）向けのトラフィックボリュームを備える、請求項１に記載の方法。
【請求項１２】
前記第１のトラフィックボリュームおよび前記第２のトラフィックボリュームは、Ｓ１−Ｕインターフェース、ＧＴＰ−Ｕヘッダ、Ｓ１−ＭＭＥインターフェース、または課金データ機能（ＣＤＦ）のうちの１つまたは複数を使って報告される、請求項１に記載の方法。
【請求項１３】
前記第１のトラフィックボリュームおよび前記第２のトラフィックボリュームの前記報告は定期的に実施される、請求項１に記載の方法。
【請求項１４】
ワイヤレス通信ネットワークにおける第１のネットワーク要素によって、ユーザ機器（ＵＥ）課金情報を決定するための方法であって、
前記ＵＥについての少なくとも第１のトラフィックボリュームと第２のトラフィックボリュームとを受信することと、ここにおいて、前記第１のトラフィックボリュームは、前記ＵＥと第１のセルとの間でサービスされるトラフィックの量を示し、前記第２のトラフィックボリュームは、前記ＵＥと第２のセルとの間でサービスされるトラフィックの量を示す、
前記第１のトラフィックボリュームおよび前記第２のトラフィックボリュームに基づいて課金データ記録を生成することと
を備える方法。
【請求項１５】
前記第１および第２のトラフィックボリュームは、前記ＵＥに与えられるトラフィックの同じストリームに関連付けられる、請求項１４に記載の方法。
【請求項１６】
前記受信された第１のトラフィックボリュームと前記第２のトラフィックボリュームとを第２のネットワーク要素にフォワードすることをさらに備え、ここにおいて、前記第１のネットワーク要素は、モビリティ管理エンティティ（ＭＭＥ）またはサービングゲートウェイのうちの１つまたは複数を備え、前記第２のネットワーク要素は、サービングゲートウェイまたはパケットデータネットワークゲートウェイのうちの１つまたは複数を備える、請求項１４に記載の方法。
【請求項１７】
前記課金データ記録を生成することは、
第１の課金レートに基づいて、前記第１のトラフィックボリュームについての課金を算出することと、
前記第１の課金レートとは異なる第２の課金レートに基づいて、前記第２のトラフィックボリュームについての課金を算出することとを備える、請求項１４に記載の方法。
【請求項１８】
前記第２のセルと前記ＵＥとの間の第２のワイヤレス接続は、非ライセンス無線周波数スペクトル帯域を使って確立される、請求項１４に記載の方法。
【請求項１９】
第２のワイヤレス接続と第１のワイヤレス接続は、異なる無線アクセス技術（ＲＡＴ）を使用する、請求項１４に記載の方法。
【請求項２０】
ワイヤレス通信ネットワークにおけるワイヤレス通信のための装置であって、
第１のセルとユーザ機器（ＵＥ）との間でサービスされる第１のトラフィックボリュームを決定するための第１のトラフィック決定モジュールと、
第２のセルと前記ＵＥとの間でサービスされる第２のトラフィックボリュームを決定するための第２のトラフィック決定モジュールと、
前記第１のトラフィックボリュームおよび前記第２のトラフィックボリュームのうちの少なくとも１つを前記ワイヤレス通信ネットワークのノードに報告するためのセル管理モジュールと
を備える装置。
【請求項２１】
前記第１のトラフィックボリュームおよび前記第２のトラフィックボリュームは、トラフィックの同じストリームに関連付けられる、請求項２０に記載の装置。
【請求項２２】
前記第１のトラフィックボリュームは、前記第２のトラフィックボリュームとは異なるように課金される、請求項２０に記載の方法。
【請求項２３】
前記第１のセルはライセンス無線周波数スペクトル帯域を使用し、前記第２のセルは非ライセンス無線周波数スペクトル帯域を使用する、請求項２０に記載の装置。
【請求項２４】
前記第１のセルと前記第２のセルは異なる無線アクセス技術（ＲＡＴ）を使用する、請求項２０に記載の装置。
【請求項２５】
前記第１のトラフィックボリュームおよび前記第２のトラフィックボリュームは、Ｓ１−Ｕインターフェース、ＧＴＰ−Ｕヘッダ、Ｓ１−ＭＭＥインターフェース、または課金データ機能（ＣＤＦ）のうちの１つまたは複数を使って報告される、請求項２０に記載の装置。
【請求項２６】
ワイヤレス通信ネットワークにおける第１のネットワーク要素によって、ユーザ機器（ＵＥ）課金情報を決定するための装置であって、
前記ＵＥ向けの少なくとも第１のトラフィックボリュームと第２のトラフィックボリュームとを受信するためのトラフィックボリュームモジュールと、ここにおいて、前記第１のトラフィックボリュームは、前記ＵＥと第１のセルとの間でサービスされるトラフィックの量を示し、前記第２のトラフィックボリュームは、前記ＵＥと第２のセルとの間でサービスされるトラフィックの量を示す、
前記第１のトラフィックボリュームおよび前記第２のトラフィックボリュームに基づいて課金データ記録を生成するための識別モジュールと
を備える装置。
【請求項２７】
前記第１および第２のトラフィックボリュームは、前記ＵＥに与えられるトラフィックの同じストリームに関連付けられる、請求項２６に記載の装置。
【請求項２８】
前記受信された第１のトラフィックボリュームと前記第２のトラフィックボリュームとを第２のネットワーク要素にフォワードするための通信管理モジュールをさらに備え、ここにおいて、前記第１のネットワーク要素は、モビリティ管理エンティティ（ＭＭＥ）またはサービングゲートウェイのうちの１つまたは複数を備え、前記第２のネットワーク要素は、サービングゲートウェイまたはパケットデータネットワークゲートウェイのうちの１つまたは複数を備える、請求項２６に記載の装置。
【請求項２９】
前記第２のセルと前記ＵＥとの間の第２のワイヤレス接続は、非ライセンス無線周波数スペクトル帯域を使って確立される、請求項２６に記載の装置。
【請求項３０】
第２のワイヤレス接続と第１のワイヤレス接続は異なる無線アクセス技術（ＲＡＴ）を使用する、請求項２６に記載の装置。
【発明の詳細な説明】
【技術分野】
【０００１】
相互参照
[0001]  本特許出願は、その各々が本明細書の譲受人に譲受されている、２０１４年９月３０日に出願された、「Ｔｅｃｈｎｉｑｕｅｓ  ｆｏｒ  Ｄｅｔｅｒｍｉｎｉｎｇ  Ｔｒａｆｆｉｃ  Ｖｏｌｕｍｅｓ  Ｓｅｒｖｅｄ  Ｏｖｅｒ  Ｍｕｌｔｉｐｌｅ  Ｃｅｌｌｓ  ｏｆ  ａ  Ｗｉｒｅｌｅｓｓ  Ｃｏｍｍｕｎｉｃａｔｉｏｎ  Ｎｅｔｗｏｒｋ」と題する、Ｇｒｉｏｔらによる米国特許出願第１４／５０２，００９号、および２０１３年１１月１３日に出願された、「Ｔｅｃｈｎｉｑｕｅｓ  ｆｏｒ  Ｄｅｔｅｒｍｉｎｉｎｇ  Ｔｒａｆｆｉｃ  Ｖｏｌｕｍｅｓ  Ｓｅｒｖｅｄ  Ｏｖｅｒ  Ｍｕｌｔｉｐｌｅ  Ｃｅｌｌｓ  ｏｆ  ａ  Ｗｉｒｅｌｅｓｓ  Ｃｏｍｍｕｎｉｃａｔｉｏｎ  Ｎｅｔｗｏｒｋ」と題する、Ｇｒｉｏｔらによる米国仮特許出願第６１／９０３，９１５号に対する優先権を主張する。
【０００２】
[0002]  以下は、ワイヤレス通信に関し、より詳細には、ワイヤレス通信ネットワークにおける複数のセルを介してサービスされるトラフィックボリューム（traffic volume）を決定するための技法に関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって、複数のユーザをサポートすることが可能な多元接続ネットワークであり得る。
【０００４】
[0004]  ワイヤレス通信ネットワークは、いくつかのアクセスポイントを含み得る。ワイヤレスワイドエリアネットワーク（ＷＷＡＮ）のアクセスポイントは、ノードＢ（ＮＢ：NodeB）または発展型ノードＢ（ｅＮＢ：evolved NodeB）などのいくつかの基地局を含む場合がある。ワイヤレスローカルエリアネットワーク（ＷＬＡＮ）のアクセスポイントは、Ｗｉ−Ｆｉ（登録商標）ノードなどのいくつかのＷＬＡＮアクセスポイントを含む場合がある。各アクセスポイントは、いくつかのユーザ機器（ＵＥ：user equipment）のための通信をサポートすることができ、しばしば、同時に複数のＵＥと通信することができる。同様に、各ＵＥは、いくつかのアクセスポイントと通信することができ、時々、複数のアクセスポイントおよび／または異なるアクセス技術を採用するアクセスポイントと通信することができる。アクセスポイントは、ダウンリンクおよびアップリンクを介してＵＥと通信することができる。ダウンリンク（または順方向リンク）はアクセスポイントからＵＥへの通信リンクを指し、アップリンク（または逆方向リンク）はＵＥからアクセスポイントへの通信リンクを指す。
【０００５】
[0005]  ＷＷＡＮがより頻繁に利用されるようになるにつれて、事業者は、容量を増加させる方法を求めている。１つの手法は、ＷＷＡＮのトラフィックおよび／またはシグナリングの一部をオフロードするためのＷＬＡＮの使用を含み得る。ＷＬＡＮ（ＷｉＦｉ（登録商標）−ネットワークなど）は、Ｗｉ−Ｆｉネットワークが、ライセンススペクトル（licensed spectrum）内で動作するＷＷＡＮとは異なり、非ライセンススペクトル（unlicensed spectrum）内で動作することができ、したがって、スペクトルへの公正なアクセスを可能にするために制定された規則に従う様々なエンティティによって使用することができるので魅力的な特徴を提供する場合がある。いくつかの展開では、様々な事業者が、ＵＥへの接続を確立する際に使用するために、非ライセンススペクトルにアクセスすることを望む場合がある。いくつかのケースでは、ワイヤレス接続は、ライセンススペクトルを使って確立される場合があり、第２のワイヤレス接続は、非ライセンススペクトルを使って確立される場合がある。ライセンススペクトルを使うワイヤレス接続は、第１の、または１次セルを使って確立されてよく、非ライセンススペクトルを使う第２のワイヤレス接続は、第２の、または２次セルを使って確立されてよい。第１および第２のセルは、共同配置される場合もあり、共同配置されない場合もある。いくつかの事業者は、そのような異なるセルを介してサービスされるトラフィック向けに異なる課金レート（different charge rate）を提供することを欲する場合がある。
【発明の概要】
【０００６】
[0006]  本開示は、ワイヤレス通信の１つまたは複数の技法に関し、より詳細には、ワイヤレス通信システムにおけるコアネットワークのアクセスノードおよび／またはノードによるトラフィックボリューム決定および報告に関する。第１のセルと第２のセルとを使って、ＵＥと、１つまたは複数のワイヤレス接続が確立され得る。たとえば、第１のセルおよび第２のセルは、異なる無線アクセス技術（ＲＡＴ：radio access technology）を使って動作し得る。別の例では、第１のセルは、ライセンススペクトルを使って動作することができ、第２のセルは、非ライセンススペクトルを使って動作することができる。他の例では、第１のセルは、ライセンススペクトルを使って動作することができ、第２のセルは、認可共有アクセス（ＡＳＡ：authorized shared access）スペクトルを使って動作することができる。
【０００７】
[0007]  ＵＥ向けの第１のトラフィックボリュームは、第１のセルを介してサービスされるトラフィックに基づいて決定される場合があり、ＵＥ向けの第２のトラフィックボリュームは、第２のセルを介してサービスされるトラフィックに基づいて決定される場合がある。第１のセルおよび第２のセルは、ｅノードＢなどの同じアクセスノードに、または異なるアクセスノードに関連付けられ得る。第１のトラフィックボリュームおよび第２のトラフィックボリュームの一方または両方が、サービングゲートウェイ（Ｓ−ＧＷ：serving gateway）またはパケットデータネットワークゲートウェイ（Ｐ−ＧＷ：packet data network gateway）など、別のノードに報告され得る。第１のトラフィックボリュームおよび第２のトラフィックボリュームは、トラフィックのストリーム（stream）の異なる部分が、第１のセルおよび第２のセルを介してサービスされるトラフィックの同じストリームに関連付けられ得る。別の例では、第１のトラフィックボリュームおよび第２のトラフィックボリュームは、トラフィックの第１のストリームが第１のセルを介してサービスされ得るとともに、トラフィックの第２のストリームが第２のセルを介してサービスされ得る、トラフィックの異なるストリームに関連付けられ得る。第１のトラフィックボリュームおよび第２のトラフィックボリュームに基づいて、課金データ記録（charging data record）が生成され得る。第１のセルを介してサービスされるトラフィックは次いで、第２のセルを介してサービスされるトラフィックとは異なるレートで課金（charge）され得る。
【０００８】
[0008]  いくつかの例では、ワイヤレス通信ネットワークにおけるネットワーク要素は、ＵＥ向けの第１のトラフィックボリュームと第２のトラフィックボリュームとを受信し、第１のトラフィックボリュームおよび第２のトラフィックボリュームに基づいて、課金データ記録（ＣＤＲ：charging data record）を生成することができる。第１のトラフィックボリュームおよび第２のトラフィックボリュームは、たとえば、第１のセルとＵＥとの間の第１のワイヤレス接続と、第２のセルとＵＥとの間の第２のワイヤレス接続の両方にサービスするアクセスノードから受信され得る。第１のトラフィックボリュームは、第１のワイヤレス接続を介してサービスされるトラフィックの量を示すことができ、第２のトラフィックボリュームは、第２のワイヤレス接続を介してサービスされるトラフィックの量を示すことができる。ある例では、第１のトラフィックボリュームおよび第２のトラフィックボリュームは、同じアクセスノードまたは異なるアクセスノードから受信されてよく、第１のトラフィックボリュームおよび第２のトラフィックボリュームは、トラフィックの同じストリームに関連付けられる。別の例では、第１のトラフィックボリュームおよび第２のトラフィックボリュームは、同じアクセスノードまたは異なるアクセスノードによってサービスされるトラフィックの異なるストリームに関連付けられ得る。
【０００９】
[0009]  例示的な例の第１のセットによると、ワイヤレス通信ネットワークにおけるワイヤレス通信ための方法が、第１のセルとユーザ機器（ＵＥ）との間でサービスされる第１のトラフィックボリュームを決定することと、第２のセルとＵＥとの間でサービスされる第２のトラフィックボリュームを決定することと、第１のトラフィックボリュームおよび第２のトラフィックボリュームのうちの少なくとも１つをワイヤレス通信ネットワークのノードに報告することとを含み得る。いくつかの例において、第１のトラフィックボリュームおよび／または第２のトラフィックボリュームは、トラフィックの同じストリームに関連付けられ得る。いくつかの例において、第１のトラフィックボリュームおよび／または第２のトラフィックボリュームは、アクセスポイント名（ＡＰＮ：Access Point Name）、デフォルトのデータベアラ、専用データベアラ、ＩＰフロー、またはＴＣＰ接続のうちの１つまたは複数に関連付けられたトラフィックを含み得る。第１のトラフィックボリュームは、たとえば、第２のトラフィックボリュームとは異なるように課金され得る。
【００１０】
[0010]  いくつかの例において、第１のセルはライセンス無線周波数スペクトル帯域（licensed radio frequency spectrum band）を使用することができ、第２のセルは非ライセンス無線周波数スペクトル帯域（unlicensed radio frequency spectrum band）を使用することができる。追加または代替として、第１のセルおよび第２のセルは、異なる無線アクセス技術（ＲＡＴ：radio access technology）を利用し得る。第１のトラフィックボリュームおよび第２のトラフィックボリュームの報告は、いくつかの例において、新たな無線ベアラのアクティブ化、既存の無線ベアラの変更、既存の無線ベアラの非アクティブ化、ＵＥについてのモビリティイベント、または第１のトラフィックボリュームおよび第２のトラフィックボリュームのうちの少なくとも１つが閾を超えることのうちの１つまたは複数に少なくとも部分的に基づいて実施され得る。他の例では、第１のトラフィックボリュームと第２のトラフィックボリュームとを報告することは、第１のトラフィックボリュームおよび第２のトラフィックボリュームの指示、第１のトラフィックボリュームと第２のトラフィックボリュームとをサービスするのに使われる無線アクセス技術（ＲＡＴ）の指示、第１のセルもしくは第２のセルの各々が、ライセンス無線周波数スペクトル帯域もしくは非ライセンス無線周波数スペクトル帯域を使うかの指示、第１のセルおよび第２のセルのアイデンティティ、タイムスタンプ、または第１のセルおよび第２のセルによって使われる各無線ベアラについての無線ベアラ特性のうちの１つまたは複数を報告することを含み得る。
【００１１】
[0011]  いくつかの例において、第１のトラフィックボリュームおよび第２のトラフィックボリュームは、ダウンリンクトラフィックボリュームおよび／またはアップリンクトラフィックボリュームについて決定され得る。いくつかの例では、第１のトラフィックボリュームおよび第２のトラフィックボリュームは、データトラフィックボリュームを含み得る。追加または代替として、第１のトラフィックボリュームおよび第２のトラフィックボリュームは、無線リソース制御（ＲＲＣ：radio resource control）トラフィックボリューム、ネットワークアクセス層（ＮＡＳ：network access stratum）シグナリングトラフィックボリューム、または制御チャネル物理シグナリングトラフィックボリューム（control channel physical signaling traffic volume）のうちの１つまたは複数を含み得るシグナリングトラフィックボリューム（signaling traffic volume）を含み得る。いくつかの例における第１のトラフィックボリュームおよび第２のトラフィックボリュームは、第１のセルおよび第２のセルによってサービスされる各無線ベアラ向けのトラフィックボリュームを含んでよく、ならびに／または第１のセルおよび第２のセルによって提供される各サービスデータフロー（ＳＤＦ：service data flow）向けのトラフィックボリュームを含んでよい。
【００１２】
[0012]  いくつかの例によると、第１のトラフィックボリュームおよび第２のトラフィックボリュームは、Ｓ１−Ｕインターフェースを介して報告され得る。たとえば、第１のトラフィックボリュームおよび第２のトラフィックボリュームは、ＧＴＰ−Ｕヘッダ（）の一部として報告され、Ｓ１−ＭＭＥインターフェースを介して報告され得る。第１のトラフィックボリュームおよび第２のトラフィックボリュームは、いくつかの例によると、課金データ機能（ＣＤＦ：Charging Data Function）に報告され得る。いくつかの例において、第１のトラフィックボリュームおよび第２のトラフィックボリュームの報告は、定期的に（periodically）実施され得る。
【００１３】
[0013]  例示的な例の第２のセットによると、ワイヤレス通信ネットワークにおけるアクセスノードによるワイヤレス通信のための方法は、第１のトラフィックボリュームを通信するために、第１のセルとユーザ機器（ＵＥ）との間の第１のワイヤレス接続をサービスすることと、第２のトラフィックボリュームを通信するために、第２のセルとＵＥとの間の第２のワイヤレス接続をサービスすることと、第１のトラフィックボリュームおよび第２のトラフィックボリュームのうちの少なくとも１つを決定することと、第１のトラフィックボリュームおよび第２のトラフィックボリュームのうちの少なくとも１つを、アクセスノードから別のノードに報告することとを含み得る。いくつかの例において、第１のトラフィックボリュームおよび／または第２のトラフィックボリュームは、トラフィックの同じストリームに関連付けられ得る。いくつかの例において、第１のトラフィックボリュームおよび／または第２のトラフィックボリュームは、アクセスポイント名（ＡＰＮ： Access Point Name）、デフォルトのデータベアラ（default data bearer）、専用データベアラ（dedicated data bearer）、ＩＰフロー、またはＴＣＰ接続のうちの１つまたは複数に関連付けられたトラフィックを含み得る。第１のトラフィックボリュームは、たとえば、第２のトラフィックボリュームとは異なるように課金され得る。
【００１４】
[0014]  いくつかの例において、第１のセルはライセンス無線周波数スペクトル帯域を使用することができ、第２のセルは非ライセンス無線周波数スペクトル帯域を使用することができる。追加または代替として、第１のセルおよび第２のセルは、異なる無線アクセス技術（ＲＡＴ）を利用し得る。第１のトラフィックボリュームおよび第２のトラフィックボリュームの報告は、いくつかの例において、新たな無線ベアラのアクティブ化、既存の無線ベアラの変更、既存の無線ベアラの非アクティブ化、ＵＥについてのモビリティイベント（mobility event）、または第１のトラフィックボリュームおよび第２のトラフィックボリュームのうちの少なくとも１つが閾（threshold）を超えることのうちの１つまたは複数に少なくとも部分的に基づいて実施され得る。他の例では、第１のトラフィックボリュームと第２のトラフィックボリュームとを報告することは、第１のトラフィックボリュームおよび第２のトラフィックボリュームの指示、第１のトラフィックボリュームと第２のトラフィックボリュームとをサービスするのに使われる無線アクセス技術（ＲＡＴ）の指示、第１のセルもしくは第２のセルの各々が、ライセンス無線周波数スペクトル帯域もしくは非ライセンス無線周波数スペクトル帯域を使うかの指示、第１のセルおよび第２のセルのアイデンティティ（identity）、タイムスタンプ、または第１のセルおよび第２のセルによって使われる各無線ベアラについての無線ベアラ特性のうちの１つまたは複数を報告することを含み得る。
【００１５】
[0015]  いくつかの例において、第１のトラフィックボリュームおよび第２のトラフィックボリュームは、ダウンリンクトラフィックボリュームおよび／またはアップリンクトラフィックボリュームについて決定され得る。いくつかの例では、第１のトラフィックボリュームおよび第２のトラフィックボリュームは、データトラフィックボリュームを含み得る。追加または代替として、第１のトラフィックボリュームおよび第２のトラフィックボリュームは、無線リソース制御（ＲＲＣ：radio resource control）トラフィックボリューム、ネットワークアクセス層（ＮＡＳ：network access stratum）シグナリングトラフィックボリューム、または制御チャネル物理シグナリングトラフィックボリュームのうちの１つまたは複数を含み得るシグナリングトラフィックボリュームを含み得る。いくつかの例における第１のトラフィックボリュームおよび第２のトラフィックボリュームは、第１のセルおよび第２のセルによってサービスされる各無線ベアラ向けのトラフィックボリュームを含んでよく、ならびに／または第１のセルおよび第２のセルによって提供される各サービスデータフロー（ＳＤＦ）向けのトラフィックボリュームを含んでよい。
【００１６】
[0016]  いくつかの例によると、第１のトラフィックボリュームおよび第２のトラフィックボリュームは、Ｓ１−Ｕインターフェースを介して報告され得る。たとえば、第１のトラフィックボリュームおよび第２のトラフィックボリュームは、ＧＴＰ−Ｕヘッダの一部として報告され、Ｓ１−ＭＭＥインターフェースを介して報告され得る。第１のトラフィックボリュームおよび第２のトラフィックボリュームは、いくつかの例によると、課金データ機能（ＣＤＦ：Charging Data Function）に報告され得る。いくつかの例において、第１のトラフィックボリュームおよび第２のトラフィックボリュームの報告は、定期的に実施され得る。
【００１７】
[0017]  例示的な例の第３のセットによると、ワイヤレス通信ネットワークにおける第１のネットワーク要素によって、ユーザ機器（ＵＥ）課金情報を決定するための方法は、ＵＥ向けの少なくとも第１のトラフィックボリュームと第２のトラフィックボリュームとを受信することと、第１のトラフィックボリュームは、ＵＥと第１のセルとの間でサービスされるトラフィックの量を示すことができ、第２のトラフィックボリュームは、ＵＥと第２のセルとの間でサービスされるトラフィックの量を示すことができる、第１のトラフィックボリュームおよび第２のトラフィックボリュームに基づいて課金データ記録を生成することとを含み得る。いくつかの例では、第１および第２のトラフィックボリュームは、ＵＥに与えられるトラフィックの同じストリームに関連付けられ得る。方法は、たとえば、受信された第１のトラフィックボリュームと第２のトラフィックボリュームとを第２のネットワーク要素にフォワードすることも含み得る。いくつかの例において、第１のネットワーク要素はモビリティ管理エンティティ（ＭＭＥ：mobility management entity）を含んでよく、第２のネットワーク要素は、サービングゲートウェイまたはパケットデータネットワークゲートウェイのうちの１つまたは複数を含んでよい。他の例では、第１のネットワーク要素はサービングゲートウェイを含んでよく、第２のネットワーク要素はパケットデータネットワークゲートウェイを含んでよい。
【００１８】
[0018]  いくつかの例において、課金データ記録を生成することは、第１の課金レートに基づいて、第１のトラフィックボリュームについての課金を算出することと、第１の課金レートとは異なる第２の課金レートに基づいて、第２のトラフィックボリュームについての課金を算出することとを含み得る。第２のセルとＵＥとの間の第２のワイヤレス接続は、いくつかの例では、非ライセンス無線周波数スペクトル帯域を使って確立され得る。いくつかの例において、第２のワイヤレス接続と第１のワイヤレス接続は異なる無線アクセス技術（ＲＡＴ）を利用し得る。
【００１９】
[0019]  例示的な例の第４のセットにおいて、ワイヤレス通信ネットワークにおける第１のネットワーク要素によって、ユーザ機器（ＵＥ）課金情報を決定するための方法は、第１のセルとＵＥとの間の第１のワイヤレス接続と、第２のセルとＵＥとの間の第２のワイヤレス接続とをサービスするアクセスノードから、ＵＥ向けの少なくとも第１のトラフィックボリュームと第２のトラフィックボリュームとを受信することと、第１のトラフィックボリュームは、第１のワイヤレス接続を介してサービスされるトラフィックの量を示すことができ、第２のトラフィックボリュームは、第２のワイヤレス接続を介してサービスされるトラフィックの量を示すことができる、第１のトラフィックボリュームおよび第２のトラフィックボリュームに基づいて課金データ記録を生成することとを含み得る。いくつかの例では、第１および第２のトラフィックボリュームは、ＵＥに与えられるトラフィックの同じストリームに関連付けられ得る。方法は、たとえば、受信された第１のトラフィックボリュームと第２のトラフィックボリュームとを第２のネットワーク要素にフォワードすることも含み得る。いくつかの例において、第１のネットワーク要素はモビリティ管理エンティティ（ＭＭＥ：mobility management entity）を含んでよく、第２のネットワーク要素は、サービングゲートウェイまたはパケットデータネットワークゲートウェイのうちの１つまたは複数を含んでよい。他の例では、第１のネットワーク要素はサービングゲートウェイを含んでよく、第２のネットワーク要素はパケットデータネットワークゲートウェイを含んでよい。
【００２０】
[0020]  いくつかの例において、課金データ記録を生成することは、第１の課金レートに基づいて、第１のトラフィックボリュームについての課金を算出することと、第１の課金レートとは異なる第２の課金レートに基づいて、第２のトラフィックボリュームについての課金を算出することとを含み得る。第２のセルとＵＥとの間の第２のワイヤレス接続は、いくつかの例では、非ライセンス無線周波数スペクトル帯域を使って確立され得る。いくつかの例において、第２のワイヤレス接続と第１のワイヤレス接続は異なる無線アクセス技術（ＲＡＴ）を利用し得る。
【００２１】
[0021]  例示的な例の第５のセットにおいて、ワイヤレス通信ネットワークにおけるワイヤレス通信のための装置は、第１のセルとユーザ機器（ＵＥ）との間でサービスされる第１のトラフィックボリュームを決定するための手段と、第２のセルとＵＥとの間でサービスされる第２のトラフィックボリュームを決定するための手段と、第１のトラフィックボリュームおよび第２のトラフィックボリュームのうちの少なくとも１つを、ワイヤレス通信ネットワークのノードに報告するための手段とを含み得る。
【００２２】
[0022]  いくつかの例では、本装置は、上記で説明した例示的な例の第１のセットの１つまたは複数の態様を実装するための手段を含み得る。
【００２３】
[0023]  例示的な例の第６のセットにおいて、ワイヤレス通信ネットワークにおけるアクセスノードによるワイヤレス通信のための装置は、第１のトラフィックボリュームを通信するために、第１のセルとユーザ機器（ＵＥ）との間の第１のワイヤレス接続をサービスするための手段と、第２のトラフィックボリュームを通信するために、第２のセルとＵＥとの間の第２のワイヤレス接続をサービスするための手段と、第１のトラフィックボリュームおよび第２のトラフィックボリュームのうちの少なくとも１つを決定するための手段と、第１のトラフィックボリュームおよび第２のトラフィックボリュームのうちの少なくとも１つを、アクセスノードから別のノードに報告するための手段とを含み得る。
【００２４】
[0024]  いくつかの例では、本装置は、上記で説明した例示的な例の第２のセットの１つまたは複数の態様を実装するための手段を含み得る。
【００２５】
[0025]  例示的な例の第７のセットにおいて、ワイヤレス通信ネットワークにおける第１のネットワーク要素によって、ユーザ機器（ＵＥ）課金情報を決定するための装置は、ＵＥ向けの少なくとも第１のトラフィックボリュームと第２のトラフィックボリュームとを受信するための手段と、第１のトラフィックボリュームは、ＵＥと第１のセルとの間でサービスされるトラフィックの量を示すことができ、第２のトラフィックボリュームは、ＵＥと第２のセルとの間でサービスされるトラフィックの量を示すことができる、第１のトラフィックボリュームおよび第２のトラフィックボリュームに基づいて課金データ記録を生成するための手段とを含み得る。
【００２６】
[0026]  いくつかの例では、本装置は、上記で説明した例示的な例の第３のセットの１つまたは複数の態様を実装するための手段を含み得る。
【００２７】
[0027]  例示的な例の第８のセットにおいて、ワイヤレス通信ネットワークにおける第１のネットワーク要素によって、ユーザ機器（ＵＥ）課金情報を決定するための装置は、第１のセルとＵＥとの間の第１のワイヤレス接続と、第２のセルとＵＥとの間の第２のワイヤレス接続とをサービスするアクセスノードから、ＵＥ向けの少なくとも第１のトラフィックボリュームと第２のトラフィックボリュームとを受信するための手段と、第１のトラフィックボリュームは、第１のワイヤレス接続を介してサービスされるトラフィックの量を示すことができ、第２のトラフィックボリュームは、第２のワイヤレス接続を介してサービスされるトラフィックの量を示すことができる、第１のトラフィックボリュームおよび第２のトラフィックボリュームに基づいて課金データ記録を生成するための手段とを含み得る。
【００２８】
[0028]  いくつかの例では、本装置は、上記で説明した例示的な例の第４のセットの１つまたは複数の態様を実装するための手段を含み得る。例示的な例の第９のセットにおいて、ワイヤレス通信のための装置は、プロセッサと、プロセッサと電気的に通信しているメモリとを含み得る。メモリ中に記憶された命令は、装置に、第１のセルとユーザ機器（ＵＥ）との間でサービスされる第１のトラフィックボリュームを決定させ、第２のセルとＵＥとの間でサービスされる第２のトラフィックボリュームを決定させ、第１のトラフィックボリュームおよび第２のトラフィックボリュームのうちの少なくとも１つをワイヤレス通信ネットワークのノードに報告させるように、プロセッサによって実行可能であり得る。
【００２９】
[0029]  いくつかの例では、少なくとも１つのプロセッサは、上記で説明した例示的な例の第１のセットの１つまたは複数の態様を実装するための、メモリに記憶されたコードを実行するように構成され得る。
【００３０】
[0030]  例示的な例の第１０のセットにおいて、ワイヤレス通信ネットワークのアクセスノードによるワイヤレス通信のための装置は、プロセッサと、プロセッサと電気的に通信しているメモリとを含み得る。メモリ中に記憶された命令は、装置に、第１のトラフィックボリュームを通信するために、第１のセルとユーザ機器（ＵＥ）との間の第１のワイヤレス接続をサービスさせ、第２のトラフィックボリュームを通信するために、第２のセルとＵＥとの間の第２のワイヤレス接続をサービスさせ、第１のトラフィックボリュームおよび第２のトラフィックボリュームのうちの少なくとも１つを決定させ、第１のトラフィックボリュームおよび第２のトラフィックボリュームのうちの少なくとも１つを、アクセスノードから別のノードに報告させるように、プロセッサによって実行可能であり得る。
【００３１】
[0031]  いくつかの例では、少なくとも１つのプロセッサは、上記で説明した例示的な例の第２のセットの１つまたは複数の態様を実装するための、メモリに記憶されたコードを実行するように構成され得る。
【００３２】
[0032]  例示的な例の第１１のセットにおいて、ワイヤレス通信ネットワーク中の第１のネットワーク要素によってユーザ機器（ＵＥ）課金情報を決定するための装置は、プロセッサと、プロセッサと電気的に通信しているメモリとを含み得る。メモリ中に記憶された命令は、装置に、ＵＥ向けの少なくとも第１のトラフィックボリュームと第２のトラフィックボリュームとを受信させ、第１のトラフィックボリュームは、ＵＥと第１のセルとの間でサービスされるトラフィックの量を示すことができ、第２のトラフィックボリュームは、ＵＥと第２のセルとの間でサービスされるトラフィックの量を示すことができる、第１のトラフィックボリュームおよび第２のトラフィックボリュームに基づいて課金データ記録を生成させるように、プロセッサによって実行可能であり得る。
【００３３】
[0033]  いくつかの例では、少なくとも１つのプロセッサは、上記で説明した例示的な例の第３のセットの１つまたは複数の態様を実装するための、メモリに記憶されたコードを実行するように構成され得る。
【００３４】
[0034]  例示的な例の第１２のセットにおいて、ワイヤレス通信ネットワーク中の第１のネットワーク要素によってユーザ機器（ＵＥ）課金情報を決定するための装置は、プロセッサと、プロセッサと電気的に通信しているメモリとを含み得る。メモリ中に記憶された命令は、装置に、第１のセルとＵＥとの間の第１のワイヤレス接続と、第２のセルとＵＥとの間の第２のワイヤレス接続とをサービスするアクセスノードから、ＵＥ向けの少なくとも第１のトラフィックボリュームと第２のトラフィックボリュームとを受信させ、第１のトラフィックボリュームは、第１のワイヤレス接続を介してサービスされるトラフィックの量を示すことができ、第２のトラフィックボリュームは、第２のワイヤレス接続を介してサービスされるトラフィックの量を示すことができる、第１のトラフィックボリュームおよび第２のトラフィックボリュームに基づいて課金データ記録を生成させるように、プロセッサによって実行可能であり得る。
【００３５】
[0035]  いくつかの例では、少なくとも１つのプロセッサは、上記で説明した例示的な例の第４のセットの１つまたは複数の態様を実装するための、メモリに記憶されたコードを実行するように構成され得る。
【００３６】
[0036]  例示的な例の第１３のセットにおいて、ワイヤレス通信のためのコンピュータプログラム製品は、プロセッサによって実行可能な命令を記憶する非一時的コンピュータ可読媒体を含み得る。命令は、ワイヤレス通信装置に、第１のセルとユーザ機器（ＵＥ）との間でサービスされる第１のトラフィックボリュームを決定させ、第２のセルとＵＥとの間でサービスされる第２のトラフィックボリュームを決定させ、第１のトラフィックボリュームおよび第２のトラフィックボリュームのうちの少なくとも１つをワイヤレス通信ネットワークのノードに報告させるように、プロセッサによって実行可能であり得る。
【００３７】
[0037]  いくつかの例では、コンピュータ可読媒体は、プロセッサに、上記で説明した例示的な例の第１のセットの１つまたは複数の態様を実装させるように構成された命令を記憶し得る。
【００３８】
[0038]  例示的な例の第１４のセットにおいて、ワイヤレス通信ネットワークのアクセスノードによるワイヤレス通信のためのコンピュータプログラム製品は、プロセッサによって実行可能な命令を記憶する非一時的コンピュータ可読媒体を含み得る。命令は、アクセスノードに、第１のトラフィックボリュームを通信するために、第１のセルとユーザ機器（ＵＥ）との間の第１のワイヤレス接続をサービスさせ、第２のトラフィックボリュームを通信するために、第２のセルとＵＥとの間の第２のワイヤレス接続をサービスさせ、第１のトラフィックボリュームおよび第２のトラフィックボリュームのうちの少なくとも１つを決定させ、第１のトラフィックボリュームおよび第２のトラフィックボリュームのうちの少なくとも１つを、アクセスノードから別のノードに報告させるように、プロセッサによって実行可能であり得る。
【００３９】
[0039]  いくつかの例では、コンピュータ可読媒体は、プロセッサに、上記で説明した例示的な例の第２のセットの１つまたは複数の態様を実装させるように構成された命令を記憶し得る。
【００４０】
[0040]  例示的な例の第１４のセットにおいて、ワイヤレス通信ネットワーク中の第１のネットワーク要素によってユーザ機器（ＵＥ）課金情報を決定するためのコンピュータプログラム製品は、プロセッサによって実行可能な命令を記憶する非一時的コンピュータ可読媒体を含み得る。命令は、ワイヤレス通信装置に、ＵＥ向けの少なくとも第１のトラフィックボリュームと第２のトラフィックボリュームとを受信させ、第１のトラフィックボリュームは、ＵＥと第１のセルとの間でサービスされるトラフィックの量を示すことができ、第２のトラフィックボリュームは、ＵＥと第２のセルとの間でサービスされるトラフィックの量を示すことができる、第１のトラフィックボリュームおよび第２のトラフィックボリュームに基づいて課金データ記録を生成させるように、プロセッサによって実行可能であり得る。
【００４１】
[0041]  いくつかの例では、コンピュータ可読媒体は、プロセッサに、上記で説明した例示的な例の第３のセットの１つまたは複数の態様を実装させるように構成された命令を記憶し得る。
【００４２】
[0042]  例示的な例の第１４のセットにおいて、ワイヤレス通信ネットワーク中の第１のネットワーク要素によってユーザ機器（ＵＥ）課金情報を決定するためのコンピュータプログラム製品は、プロセッサによって実行可能な命令を記憶する非一時的コンピュータ可読媒体を含み得る。命令は、ワイヤレス通信装置に、第１のセルとＵＥとの間の第１のワイヤレス接続と、第２のセルとＵＥとの間の第２のワイヤレス接続とをサービスするアクセスノードから、ＵＥ向けの少なくとも第１のトラフィックボリュームと第２のトラフィックボリュームとを受信させ、第１のトラフィックボリュームは、第１のワイヤレス接続を介してサービスされるトラフィックの量を示すことができ、第２のトラフィックボリュームは、第２のワイヤレス接続を介してサービスされるトラフィックの量を示すことができる、第１のトラフィックボリュームおよび第２のトラフィックボリュームに基づいて課金データ記録を生成させるように、プロセッサによって実行可能であり得る。
【００４３】
[0043]  いくつかの例では、コンピュータ可読媒体は、プロセッサに、上記で説明した例示的な例の第４のセットの１つまたは複数の態様を実装させるように構成された命令を記憶し得る。
【００４４】
[0044]  説明される技法の適用性のさらなる範囲は、以下の発明を実施するための形態、特許請求の範囲、および図面から明らかになろう。発明を実施するための形態の趣旨および範囲内の様々な変更および改変が当業者には明らかになるので、発明を実施するための形態および特定の例は、例示として与えられるにすぎない。
【００４５】
[0045]  以下の図面を参照することにより、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図面の簡単な説明】
【００４６】
【図１】[0046]  本開示の態様によるワイヤレス通信システムの一例を示す図。
【図２】[0047]  本開示の態様による、異なるセルを介してサービスされるトラフィックボリュームを決定し得るＬＴＥ（登録商標）／ＬＴＥ−Ａ／ＷＬＡＮネットワークアーキテクチャを示す図。
【図３】[0048]  本開示の態様による、非ライセンススペクトルにおいてＬＴＥを使用するための展開シナリオの例を概念的に示すブロック図。
【図４】[0049]  本開示の態様による、非ライセンススペクトルにおいてＬＴＥを使用するための展開シナリオの例を概念的に示すブロック図。
【図５】[0050]  本開示の態様による、トラフィックボリューム情報を送信するための例示的な動作を示す流れ図。
【図６Ａ】[0051]  本開示の態様による、トラフィックボリューム情報を送信するための例示的な動作を示す流れ図。
【図６Ｂ】本開示の態様による、トラフィックボリューム情報を送信するための例示的な動作を示す流れ図。
【図７Ａ】[0052]  本開示の態様による、トラフィックボリューム決定において使用するための、ｅＮＢまたはコアネットワーク要素などのデバイスを概念的に示すブロック図。
【図７Ｂ】本開示の態様による、トラフィックボリューム決定において使用するための、ｅＮＢまたはコアネットワーク要素などのデバイスを概念的に示すブロック図。
【図８】[0053]  本開示の態様による、基地局の設計を概念的に示すブロック図。
【図９】[0054]  本開示の態様による、コアネットワーク中のノードの設計を概念的に示すブロック図。
【図１０】[0055]  本開示の態様による、ワイヤレス通信の方法の一例を概念的に示すフローチャート。
【図１１】[0056]  本開示の態様による、ワイヤレス通信の方法の別の例を概念的に示すフローチャート。
【図１２】[0057]  本開示の態様による、ワイヤレス通信の方法のさらに別の例を概念的に示すフローチャート。
【図１３】[0058]  本開示の態様による、ワイヤレス通信の方法のさらに別の例を概念的に示すフローチャート。
【発明を実施するための形態】
【００４７】
[0059]  ユーザ機器（ＵＥ）との通信において異なるセルが使われ得る技法について記載される。たとえば、ライセンス、非ライセンスおよび認可共有アクセス（ＡＳＡ：authorized shared access）無線周波数スペクトル帯域が、ＵＥとのＷＷＡＮ通信（たとえば、ロングタームエボリューション（ＬＴＥ）通信）用に使われ得る。認可共有アクセス（ＡＳＡ）無線周波数スペクトル帯域を介したＬＴＥ通信は、本明細書ではＬＴＥ認可共有アクセス（ＬＴＥ−Ａ）通信と呼ばれ得る。
【００４８】
[0060]  ＷＷＡＮにおけるデータトラフィックの増加に伴い、少なくともいくつかのデータトラフィックを非ライセンススペクトルにオフロードすることにより、拡張されたデータ伝送容量の機会がＷＷＡＮ事業者に提供され得る。本開示の様々な態様によると、事業者によってネットワークアクセスを与えられたＵＥは、ライセンス、非ライセンスまたは認可共有スペクトルを使って動作することができる１つまたは複数のセルによってサービスされ得る。異なるセルまたは異なるＲＡＴによってサービスされるトラフィックは、事業者によって異なるように課金され得る。たとえば、非ライセンススペクトルを介してサービスされるトラフィックは、ライセンススペクトルを介してサービスされるトラフィックよりも低いレートで課金され得る。別の例では、認可共有スペクトルを介してサービスされるトラフィックは、ライセンススペクトルを介してサービスされるトラフィックよりも低いレートで課金され得る。開示される態様によると、異なるセルまたはＲＡＴ向けのトラフィックボリュームは、コアネットワークのアクセスノードおよび／またはノードによって決定され、報告され得る。
【００４９】
[0061]  たとえば、異なるセル特性を有し得る第１のセルと第２のセルとを使って、ＵＥと、１つまたは複数のワイヤレス接続が確立され得る。たとえば、第１のセルは、ライセンススペクトルを使って動作することができ、第２のセルは、非ライセンスまたは認可共有スペクトルを使って動作することができる。別の例では、第１のセルは、ＷＷＡＮ（たとえば、ＬＴＥ）ＲＡＴを使って動作することができ、第２のセルは、ＷＬＡＮ（たとえば、Ｗｉ−Ｆｉ）ＲＡＴを使って動作することができる。第１および第２のセルのセル特性は、それらに限定されるわけではなく、１次／２次セルもしくはセルの１次／２次セット、異なるセルが動作する周波数帯、ライセンス／非ライセンススペクトルを使って動作するセル、ライセンス／認可共有スペクトルを使って動作するセル、のうちの１つか、もしくはそれらのうちの複数からなる組合せ、またはセルによって使用されるＲＡＴ（たとえば、Ｅ−ＵＴＲＡＮ、ＷＬＡＮ、ＧＥＲＡＮ．ＵＴＲＡＮなど）であり得る。
【００５０】
[0062]  ＵＥ向けの第１のトラフィックボリュームは、第１のセルを介してサービスされるトラフィックに基づいて決定される場合があり、ＵＥ向けの第２のトラフィックボリュームは、第２のセルを介してサービスされるトラフィックに基づいて決定される場合がある。第１のセルおよび第２のセルは、ｅノードＢなどの同じアクセスノードに、またはｅノードＢおよびアクセスポイント（ＡＰ）などの異なるアクセスノードに関連付けられ得る。第１のトラフィックボリュームおよび第２のトラフィックボリュームの一方または両方が、サービングゲートウェイ（Ｓ−ＧＷ）またはパケットデータネットワークゲートウェイ（Ｐ−ＧＷ）など、別のノードに報告され得る。第１のトラフィックボリュームおよび第２のトラフィックボリュームは、トラフィックのストリームの異なる部分が、第１のセルおよび第２のセルを介してサービスされるトラフィックの同じストリームに関連付けられ得る。別の例では、第１のトラフィックボリュームおよび第２のトラフィックボリュームは、トラフィックの第１のストリームが第１のセルを介してサービスされ得るとともに、トラフィックの第２のストリームが第２のセルを介してサービスされ得る、トラフィックの異なるストリームに関連付けられ得る。第１のトラフィックボリュームおよび第２のトラフィックボリュームに基づいて、課金データ記録（ＣＤＲ）が生成され得る。第１のセルを介してサービスされるトラフィックは、次いで、第２のセルを介してサービスされるトラフィックとは異なるレートで課金され得る。
【００５１】
[0063]  いくつかの例では、ワイヤレス通信ネットワークにおけるネットワーク要素は、ＵＥ向けの第１のトラフィックボリュームと第２のトラフィックボリュームとを受信し、第１のトラフィックボリュームおよび第２のトラフィックボリュームに基づいて、課金データ記録を生成することができる。第１のトラフィックボリュームおよび第２のトラフィックボリュームは、たとえば、第１のセルとＵＥとの間の第１のワイヤレス接続と、第２のセルとＵＥとの間の第２のワイヤレス接続の両方にサービスするアクセスノードから受信され得る。第１のトラフィックボリュームは、第１のワイヤレス接続を介してサービスされるトラフィックの量を示すことができ、第２のトラフィックボリュームは、第２のワイヤレス接続を介してサービスされるトラフィックの量を示すことができる。ある例では、第１のトラフィックボリュームおよび第２のトラフィックボリュームは、同じアクセスノードまたは異なるアクセスノードから受信されてよく、第１のトラフィックボリュームおよび第２のトラフィックボリュームは、トラフィックの同じストリームに関連付けられる。別の例では、第１のトラフィックボリュームおよび第２のトラフィックボリュームは、同じアクセスノードまたは異なるアクセスノードによってサービスされるトラフィックの異なるストリームに関連付けられ得る。
【００５２】
[0064]  本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般的に、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）のロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上で言及されたシステムおよび無線技術、ならびに他のシステムおよび無線技術に使用され得る。しかしながら、以下の説明は、例としてＬＴＥシステムを記載し、以下の説明の大部分においてＬＴＥ用語が使用されるが、本技法はＬＴＥ用途以外に適用可能である。
【００５３】
[0065]  したがって、以下の説明は例を与えるものであり、特許請求の範囲に記載の範囲、適用性、または構成の限定ではない。本開示の趣旨および範囲から逸脱することなく、説明する要素の機能および構成において変更が行われ得る。様々な例は、適宜に様々な手順または構成要素を省略、置換、または追加し得る。たとえば、説明される方法は、説明されるのとは異なる順序で実施され得、様々なステップが追加、省略、または組み合わされ得る。また、いくつかの例に関して説明する特徴は、他の例において組み合わせられ得る。
【００５４】
[0066]  本明細書および添付の特許請求の範囲において使われるように、「ワイヤレスワイドエリアネットワーク」または「ＷＷＡＮ」という用語は、セルラーワイヤレスネットワークを指す。ＷＷＡＮの例には、たとえば、ＬＴＥネットワーク、ＵＭＴＳネットワーク、ＣＤＭＡ２０００ネットワーク、ＧＳＭ／ＥＤＧＥネットワーク、１ｘ／ＥＶ−ＤＯネットワークなどがある。いくつかの例において、ＷＷＡＮは「無線アクセスネットワーク」と呼ばれる場合がある。
【００５５】
[0067]  本明細書および添付の特許請求の範囲において使われるように、「ワイヤレスローカルエリアネットワーク」または「ＷＬＡＮ」という用語は、非セルラーワイヤレスネットワークを指す。ＷＬＡＮの例としては、たとえば、非ライセンススペクトルへのアクセスについての確立された規則に従って５ＧＨｚ帯域中の非ライセンススペクトルを使用して送信し得るＩＥＥＥ８０２．１１（「Ｗｉ−Ｆｉ」）規格ファミリーに準拠するワイヤレスネットワークがある。
【００５６】
[0068]  最初に図１を参照すると、図は、本開示の態様によるワイヤレス通信システム１００の一例を示す。ワイヤレス通信システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、本明細書で使われるように、アクセスノード、セル、基地局、および／またはｅＮＢとも呼ばれ得る。アクセスポイント１０５のうちのいくつかは、様々な例ではコアネットワーク１３０またはいくつかのアクセスポイント１０５（たとえば、基地局もしくはｅＮＢ）の一部であり得る、基地局コントローラ（図示せず）の制御下でＵＥ１１５と通信し得る。アクセスポイント１０５は、バックホールリンク１３２を通じてコアネットワーク１３０（発展型パケットコア（ＥＰＣ）とも呼ばれる）と制御情報および／またはユーザデータを通信し得る。いくつかの例では、アクセスポイント１０５は、ワイヤードまたはワイヤレス通信リンクであり得るバックホールリンク１３４を介して互いと直接または間接的に通信し得る。ワイヤレス通信システム１００は、複数のキャリア（様々な周波数の波形信号）上での動作をサポートすることができる。マルチキャリア送信機は、複数のキャリア上で同時に被変調信号を送信することができる。たとえば、各通信リンク１２５は、上述された様々な無線技術に従って変調されたマルチキャリア信号であり得る。各被変調信号は、異なるキャリア上で送られる場合があり、制御情報（たとえば、基準信号、制御チャンネルなど）、オーバーヘッド情報、データなどを搬送することができる。
【００５７】
[0069]  アクセスポイント１０５は、１つまたは複数のアクセスポイントアンテナを介してＵＥ１１５とワイヤレス通信し得る。アクセスポイント１０５のサイトの各々は、通信カバレージをそれぞれのカバレージエリア１１０に与え得る。いくつかの例では、アクセスポイント１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割される場合がある（図示せず）。ワイヤレス通信システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術のような、異なる無線技術を利用することができる。アクセスポイント１０５は、同じまたは異なるアクセスネットワークまたは事業者展開と関連付けられ得る。同じもしくは異なるタイプのアクセスポイント１０５のカバレージエリアを含み、同じもしくは異なる無線技術を利用し、および／または同じもしくは異なるアクセスネットワークに属する、異なるアクセスポイント１０５のカバレージエリアは重複し得る。
【００５８】
[0070]  いくつかの例では、ワイヤレス通信システム１００は、非ライセンススペクトルを介した１つまたは複数の動作モードまたは展開シナリオをサポートするＬＴＥ／ＬＴＥ−Ａ通信システム（またはネットワーク）であり、アクセスポイント１０５およびＵＥ１１５の間で協調型競合ベースのチャネルアクセス手順を利用することができる。いくつかの例では、ワイヤレス通信システム１００は、非ライセンススペクトルと、ＬＴＥ／ＬＴＥ−Ａとは異なるアクセス技術とを使うワイヤレス通信をサポートすることができる。ＬＴＥ／ＬＴＥ−Ａネットワーク通信システムでは、発展型ノードＢ（ｅノードＢ）という用語は、アクセスポイント１０５を記述するために使用され得る。ワイヤレス通信システム１００は、異なるタイプのアクセスポイントが様々な地理的領域にカバレージを提供する、異種ＬＴＥ／ＬＴＥ−Ａネットワークであり得る。たとえば、各アクセスポイント１０５は、通信カバレージを、マクロセル、ピコセル、フェムトセル、および／または他のタイプのセルに提供し得る。ピコセル、フェムトセル、および／または他のタイプのセルなどのスモールセルは、低電力ノードすなわちＬＰＮを含み得る。マクロセルは、比較的大きい地理的エリア（たとえば、半径数キロメートル）をカバーし、ネットワークプロバイダのサービスに加入しているＵＥ１１５による無制限アクセスを可能にし得る。ピコセルは、比較的小さい地理的エリアをカバーすることができ、ネットワークプロバイダのサービスに加入しているＵＥ１１５による無制限アクセスを可能にし得る。フェムトセルも、比較的小さい地理的エリア（たとえば、自宅）をカバーすることができ、無制限のアクセスに加えて、フェムトセルとの関連を有するＵＥ１１５（たとえば、限定加入者グループ（ＣＳＧ：closed subscriber group）中のＵＥ、自宅内のユーザのためのＵＥなど）による制限アクセスも与え得る。マクロセル用のｅＮＢは、マクロｅＮＢと呼ばれる場合がある。ピコセル用のｅＮＢは、ピコｅＮＢと呼ばれる場合がある。また、フェムトセル用のｅＮＢは、フェムトｅＮＢまたはホームｅＮＢと呼ばれる場合がある。ｅＮＢは、１つまたは複数（たとえば、２つ、３つ、４つなど）のセルをサポートすることができる。
【００５９】
[0071]  コアネットワーク１３０は、バックホールリンク１３２（たとえば、Ｓ１インターフェースなど）を介してｅノードＢまたは他のアクセスポイント１０５と通信し得る。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いに通信し得る。ワイヤレス通信システム１００は同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作または非同期動作のいずれかのために使用され得る。
【００６０】
[0072]  ＵＥ１１５はワイヤレス通信システム１００全体にわたって分散され、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。ＵＥ１１５は、セルラーもしくは他のＷＷＡＮアクセスネットワーク、またはＷＬＡＮアクセスネットワークなどの異なるアクセスネットワークを介して通信することも可能であり得る。
【００６１】
[0073]  ワイヤレス通信システム１００に示された通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は順方向リンク送信と呼ばれることもあり、一方アップリンク送信は逆方向リンク送信と呼ばれることもある。ダウンリンク送信は、ライセンススペクトル、非ライセンススペクトル、認可共有スペクトル、またはそれらの組合せを使用して行われ得る。同様に、アップリンク送信は、ライセンススペクトル、非ライセンススペクトル、認可共有スペクトル、またはそれらの組合せを使用して行われ得る。
【００６２】
[0074]  ワイヤレス通信システム１００のいくつかの例では、ライセンススペクトルにおけるＬＴＥダウンリンク容量が非ライセンススペクトルにオフロードされ得る補助ダウンリンクモードと、ＬＴＥのダウンリンク容量とアップリンク容量の両方がライセンススペクトルから非ライセンススペクトルにオフロードされ得るキャリアアグリゲーションモードと、基地局（たとえば、ｅＮＢ）とＵＥとの間のＬＴＥのダウンリンク通信およびアップリンク通信が非ライセンススペクトルにおいて行われ得るスタンドアロンモードとを含む、非ライセンススペクトルを使う様々な展開シナリオがサポートされる場合がある。異なるモードの各々は、周波数分割複信（ＦＤＤ）または時分割複信（ＴＤＤ）に従って動作し得る。ＯＦＤＭＡ通信信号は、非ライセンスおよび／またはライセンススペクトルにおけるＬＴＥダウンリンク送信のために通信リンク１２５の中で使用され得るが、ＳＣ−ＦＤＭＡ通信信号は、非ライセンスおよび／またはライセンススペクトルにおけるＬＴＥアップリンク送信のために通信リンク１２５の中で使用され得る。非ライセンススペクトルを使用する送信は、周波数帯域における１つまたは複数のキャリア周波数を使用して搬送され得る。周波数帯域は、たとえば、複数のキャリア周波数に分割され得、各キャリア周波数は、同じ帯域幅または異なる帯域幅を有し得る。たとえば、各キャリア周波数は、５ＧＨｚ周波数帯域のうちの２０ＭＨｚを占有し得る。
【００６３】
[0075]  多くの展開では、上述したように、ライセンスおよび／もしくは非ライセンススペクトルを使って、ならびに／または異なる無線アクセス技術（たとえば、ＬＴＥおよびＷＬＡＮ）を使って送信することを求める事業者は、ＵＥ１１５にトラフィックをサービスするのに使われるスペクトルまたは技術に基づいて、異なるようにユーザに課金し得る。いくつかの展開において、ＵＥ１１５は、１次セルおよび２次セルなど、２つの異なるセルに一度にアクセスするように構成されてよく、異なるセルによってサービスされるトラフィックは、異なる課金レートを有する。様々な例によると、異なるセル向けのトラフィックボリュームは、アクセスポイント１０５によって決定され、報告され、適切な課金を決定するのに使われ得る。異なるセルのセル特性は、それらに限定されるわけではなく、１次／２次セルもしくはセルの１次／２次セット、異なるセルが動作する周波数帯、ライセンス／非ライセンススペクトルを使って動作するセル、ライセンス／認可共有スペクトルを使って動作するセルのうちの１つもしくはそれらの組合せ、またはセルが使用するＲＡＴ（たとえば、Ｅ−ＵＴＲＡＮ、ＷＬＡＮ、ＧＥＲＡＮ、ＵＴＲＡＮなど）であり得る。
【００６４】
[0076]  図２は、本開示の態様による、異なるセルを介してサービスされるトラフィックボリュームを決定し得るＬＴＥ／ＬＴＥ−Ａ／ＷＬＡＮネットワークアーキテクチャ２００を示す図を示す。ＬＴＥ／ＬＴＥ−Ａ／ＷＬＡＮネットワークアーキテクチャ２００は、１つまたは複数のＵＥ２１５と、発展型ＵＭＴＳ地上波無線アクセスネットワーク（Ｅ−ＵＴＲＡＮ）２１０と、発展型パケットコア（ＥＰＣ）２３０と、ホーム加入者サーバ（ＨＳＳ）２２０と、事業者のＩＰサービス２２２とを含み得る。ネットワークアーキテクチャ２００は他のアクセスネットワークと相互接続し得るが、簡単のために、それらのエンティティ／インターフェースは図示されていない。図示のように、ネットワークアーキテクチャ２００はパケット交換サービスを提供するが、当業者なら容易に諒解するように、本開示全体にわたって提示する様々な概念は、回線交換サービスを提供するネットワークに拡張され得る。
【００６５】
[0077]  Ｅ−ＵＴＲＡＮ２１０は、第１のセル２０５−ａと第２のセル２０５−ｂとを含み得る。いくつかの例では、第１のセル２０５−ａおよび第２のセル２０５−ｂの各々は、Ｘ２インターフェースによって接続されたｅノードＢアクセスポイントであり得る。他の例では、第１のセル２０５−ａおよび第２のセル２０５−ｂは、単一のｅノードＢアクセスポイントによって操作される異なるセルであり得る。またさらなる例において、第１のセル２０５−ａおよび第２のセル２０５−ｂは、異なるＲＡＴに従って動作し、同じ物理的場所に共同配置されるか、または異なる場所に非共同配置され得る。ＵＥ２１５は、第１のセル２０５−ａおよび第２のセル２０５−ｂへのアクセスのために構成され得る。いくつかの例では、第１のセル２０５−ａおよび第２のセル２０５−ｂは、ｅＮＢの所に共同配置されてよく、第１のセル２０５−ａは、ライセンス済みを使ってアクセスを与えることができ、第２のセル２０５−ｂは、非ライセンススペクトルを使ってアクセスを与えることができる。他の例では、第１のセル２０５−ａはＷＷＡＮ  ＲＡＴアクセスを与えることができ、第２のセルはＷＬＡＮ  ＲＡＴアクセスを与えることができる。さらなる例において、第１のセル２０５−ａはＬＴＥアクセスを与えることができ、第２のセル２０５−ｂはＬＴＥ認可共有アクセス（ＡＳＡ）を与えることができる。いくつかの例において使われるＬＴＥ  ＡＳＡは、異なる事業者が、現行スペクトル保有主と干渉することなく、共有ベースで遊休スペクトルにアクセスできるようにし得る。いくつかの具体例がここで列挙されるが、異なるセル２０５が動作する周波数帯、ライセンス／非ライセンス／認可共有スペクトルを使って動作するセル２０５、またはセル２０５によって使用されるＲＡＴ（たとえば、Ｅ−ＵＴＲＡＮ、ＷＬＡＮ、ＧＥＲＡＮ．ＵＴＲＡＮなど）、のような、他のセル特性が、様々な例において使われ得ることが、容易に理解されよう。
【００６６】
[0078]  上述したように、いくつかの例において、事業者は、第１のセル２０５−ａおよび第２のセル２０５−ｂにおいてＵＥ２１５にサービスするための異なる課金モデルを有することを欲する場合がある。いくつかの例によると、および以下でより詳細に説明するように、第１のセル２０５−ａは、第１のセル２０５−ａおよび第２のセル２０５−ｂを介して送信されるパケットの数に対してアカウンティングすることができる。そのようなアカウンティングは、いくつかの例では、ダウンリンクとアップリンクの両方に対して別個に実施され得る。いくつかの例では、第２のセル２０５−ｂの存在はＥＰＣ２３０にとって透過である場合があり、第１のセル２０５−ａおよび第２のセル２０５−ｂによってサービスされるあらゆるトラフィックが、たとえば、ＥＰＣ２３０との、Ｓ１−Ｕインターフェースなど、単一の接続２５５上で交換され得る。
【００６７】
[0079]  第１のセル２０５−ａは、ＵＥ２１５に対してユーザおよび制御プレーンプロトコル終了を与え得る。第１のセル２０５−ａは、ＥＰＣ２３０へのアクセスポイントをＵＥ２１５に与えることができ、ＵＥ２１５との第１のワイヤレス接続２４０を提供することができる。第１のセル２０５−ａは、Ｓ１−ＭＭＥインターフェース２５０によって、ＥＰＣ２３０の１つまたは複数のモビリティ管理エンティティ（ＭＭＥ）２３２に接続され得る。追加または代替として、第１のセル２０５−ａは、Ｓ１−Ｕインターフェース２５５によって、ＥＰＣ２３０の１つまたは複数のサービングゲートウェイ２３４に接続され得る。ＭＭＥ２３２は、Ｓ１１インターフェースであってよいインターフェース２６５によりＳ−ＧＷ２３４と結合され得る。Ｓ−ＧＷ２３４は、Ｓ５インターフェースであり得るインターフェース２７０により１つまたは複数のパケットデータネットワーク（ＰＤＮ）ゲートウェイ（Ｐ−ＧＷ）２３６と結合され得る。ＭＭＥ２３２は、他の機能の中でも、ベアラおよび接続管理を提供することができ、Ｓ６ａインターフェースであり得るインターフェース２６０により、ＨＳＳ２２０を用いてＵＥ２１５証明書を検証することができる。Ｐ−ＧＷ２３６はＵＥのＩＰアドレス割振りならびに他の機能を提供し得る。Ｐ−ＧＷ２３６は、ＳＧｉインターフェースであり得るインターフェース２７５により事業者のＩＰサービス２２２に接続され得る。事業者のＩＰサービス２２２は、たとえば、インターネットと、イントラネットと、ＩＰマルチメディアサブシステム（ＩＭＳ）と、パケット交換（ＰＳ）ストリーミングサービス（ＰＳＳ）とを含み得る。
【００６８】
[0080]  上で示したように、いくつかの例において、事業者は、第１のセル２０５−ａおよび第２のセル２０５−ｂにおいてＵＥ２１５にサービスするための異なる課金モデルを有することを欲する場合がある。いくつかの例によると、課金用のアカウンティング機構は、ＥＰＣ２３０中で実施され得る。たとえば、いくつかの例では、Ｓ−ＧＷ２３４とＰ−ＧＷ２３６の両方が、各セル２０５用の各ＵＥ２１５についてのアカウンティング情報を収集し、報告することが可能な場合がある。そのようなアカウンティング情報は、たとえば、ＰＤＮ接続ごとにＵＥごとのサービス品質（ＱｏＳ）クラス識別子（ＱＣＩ）と割振りおよび保持優先度（ＡＲＰ：allocation and retention priority）ペアとを使用してカテゴリー分類された、アップリンク方向とダウンリンク方向とに送信されるデータの量を含み得る。いくつかの例では、アカウンティング情報は、ベアラごとに収集され、報告され得る。
【００６９】
[0081]  上述したようなアカウンティング情報が、課金データ記録（ＣＤＲ）を作成することによって報告されてよく、Ｓ−ＧＷ２３４および／またはＰ−ＧＷ２３６によって与えられるデータは、Ｐ−ＧＷ２３６によってＵＥ２１５に割り当てられる課金ＩＤにより、課金ゲートウェイ機能（ＣＧＦ：Charging Gateway Function）において相関され得る。Ｐ−ＧＷ２３６は、同じ情報を収集し、ポリシーおよび課金規則機能（ＰＣＲＦ：Policy and Charging Rules Function）からの命令に基づいて、ポリシーおよび課金強制機能（ＰＣＥＦ：Policy and Charging Enforcement Function）機能性の追加によって、サービスデータフロー（ＳＤＦ：Service Data Flow）ごとにアクションをとることができる。ＣＤＲは、いくつかの例では、セル、時間、および／またはユーザロケーション情報ごとのデータボリュームを含み得る。Ｓ−ＧＷ２３４がＣＤＲを提供する例において、データボリュームは、ＩＰ接続性アクセスネットワーク（ＩＰ−ＣＡＮ）ベアラごとなど、セルおよび／またはベアラ単位で与えられ得る。Ｐ−ＧＷ２３６がＣＤＲを提供する例において、データボリュームは、セル、ベアラおよび／またはＳＤＦ単位で与えられ得る。いくつかの例では、ユーザロケーション情報は、セル２０５および／またはＭＭＥ２３２がこの情報を提供することが可能である場合、ＣＤＲ中で提供され得る。
【００７０】
[0082]  上述したように、Ｓ−ＧＷ２３４によってＣＤＲが作成され、修正され、および／または閉じられ得る。Ｓ−ＧＷ２３４のＣＤＲは、ＵＥ２１５について、ベアラ単位で課金情報を収集するのに使われ得る。Ｓ−ＧＷ２３４  ＣＤＲは、たとえば、ベアラ、およびベアラ固有コンテナについての使用および認可ＱＣＩ／ＡＲＰを報告するベアラ固有コンテナを含み得る。ある例では、Ｓ−ＧＷ２３４  ＣＤＲは、ＩＰ−ＣＡＮベアラのアクティブ化時に作成されてよく、ＩＰ−ＣＡＮベアラ固有コンテナは、課金条件に少なくとも部分的に基づいて生成されてよい。課金条件の変更が起こると、Ｓ−ＧＷ２３４によってトラフィックボリュームカウントがＣＤＲに追加されてよく、および／または新たなカウントがスタートされてよい。ＳＧＷ３２４  ＣＤＲは、いくつか例を挙げると、記録タイプ、被サービスＩＭＳＩ、および／またはシーケンス番号などの詳細を含み得る。収集されるべき課金情報のすべてが静的なわけではなく、他の課金情報が、動的パケット交換サービス使用に直接依存してよい。テーブル１および２は、様々な例による、ＣＧＦへの生成のために、Ｓ−ＧＷ２３４  ＣＤＲに情報を追加し、閉じるための条件を識別する。
【００７１】
【表１】
2018038061.tif 000003
【００７２】
【表２】
2018038061.tif 000004
【００７３】
[0083]  上でも述べたように、Ｐ−ＧＷ２３６によってもＣＤＲが作成され、修正され、および／または閉じられ得る。Ｐ−ＧＷ２３６  ＣＤＲは、Ｐ−ＧＷ２３６中で、ＵＥ２１５について、セル２０５ごとのＩＰ−ＣＡＮベアラデータ情報に関連した課金情報を収集するのに使われてよく、ここで、各Ｐ−ＧＷ２３６  ＣＤＲ内のデータボリューム、経過時間、および／またはイベントの数は、レーティンググループごと、またはレーティンググループとサービスＩＤの組合せごとに別個にカウントされ得る。いくつかの例によると、ＩＰ−ＣＡＮベアラごとの複数のサービスデータフロー（ＳＤＦ）コンテナは、Ｐ−ＧＷ２３６  ＣＤＲ中で同時にアクティブであり得る。サービスデータフローコンテナは、トラフィックが検出され、一致するアクティブなサービスデータフローコンテナが識別されないとき、アクティブ化されてよく、サービスデータフローコンテナは、サービスデータフローコンテナに一致する最後のサービスデータフローの終了がＰ−ＧＷ２３６によって検出されたとき、閉じられてよい。イベントベースの課金が該当するとき、サービスデータフローテンプレートに一致するイベントの最初の出現は、サービスデータフロースタートを含意し得る。
【００７４】
[0084]  課金特性プロファイルに従って、Ｐ−ＧＷ２３６においてＣＤＲ生成がアクティブ化された場合、ＩＰ−ＣＡＮベアラアクティブ化時にＰＧＷ−ＣＤＲが開かれてよく、トラフィックボリューム（セルごとに、アップリンクおよびダウンリンク方向において別個に）、経過時間ならびに／またはイベントの数がカウントされ得る。課金条件の変化が起きたとき、コンテナがＰＧＷ−ＣＤＲに追加される。ＰＧＷ−ＣＤＲは、記録タイプ、被サービスＩＭＳＩ、シーケンス番号など、およびＦＢＣ固有課金データなどの詳細を含み得る。やはり、収集されるべき課金情報のすべてが静的なわけではなく、他の課金情報が、動的パケット交換サービス使用に直接依存してよい。テーブル３および４は、様々な例による、ＣＧＦへの生成のために、Ｐ−ＧＷ２３６  ＣＤＲに情報を追加し、閉じるための条件を識別する。
【００７５】
【表３】
2018038061.tif 000005
【００７６】
【表４】
2018038061.tif 000006
【００７７】
[0085]  図３は、本開示の態様による、非ライセンススペクトルにおいてＬＴＥを使用するための展開シナリオの例を概念的に示すブロック図である。ワイヤレス通信システム３００は、非ライセンススペクトルをサポートするＬＴＥネットワークにおけるｅＮＢ３０５とＵＥ３１５との間のための、補助ダウンリンクモードと、キャリアアグリゲーションモードと、スタンドアロンモードとの例を示している。ワイヤレス通信システム３００は、図１および／または図２を参照しながら説明したワイヤレス通信システム１００および／またはネットワークアーキテクチャ２００の部分の一例であり得る。その上、ｅＮＢ３０５は、図１および／または図２のアクセスポイントおよび／またはセル１０５のうちの１つの一例であり得、ＵＥ３１５は、図１および／または図２に関して説明したＵＥ１１５および／または２１５の例であり得る。
【００７８】
[0086]  ワイヤレス通信システム３００における補助ダウンリンク（ＳＤＬ：supplemental downlink）モードの例では、第１のセルを使ってｅＮＢ３０５は、双方向リンク３２５を使用してＯＦＤＭＡ通信信号をＵＥ３１５に送信し得、双方向リンク３２５を使用してＳＣ−ＦＤＭＡ通信信号をそのＵＥ３１５から受信し得る。双方向リンク３２５は、ライセンススペクトル内の周波数に関連付けられる場合がある。同時に、ｅＮＢ３０５は、ｅＮＢ３０５の第２のセルから、ダウンリンク３２０を使って、ＵＥ３１５にＯＦＤＭＡ通信信号を送信することができる。図３の例では、ダウンリンク３２０は、非ライセンススペクトルにおける周波数に関連付けられてもよい。非ライセンススペクトル中のダウンリンク３２０およびライセンススペクトル中の双方向リンク３２５は、同時に動作することができる。ダウンリンク３２０は、ダウンリンク容量のオフロードをｅＮＢ３０５に提供し得る。いくつかの例では、ダウンリンク３２０は、（たとえば、１つのＵＥに宛てられた）ユニキャストサービスのために、または（たとえば、いくつかのＵＥに宛てられた）マルチキャストサービスのために使用され得る。このシナリオは、ライセンススペクトルを使用し、トラフィックおよび／またはシグナリングの輻輳の一部を緩和する必要がある、任意のサービスプロバイダ（たとえば、従来のモバイルネットワーク事業者（mobile network operator）すなわちＭＮＯ）に関して生じ得る。上述したように、サービスプロバイダは、ダウンリンク３２０および双方向リンク３２５を使って送信されるトラフィックに対して、異なるように課金し得る。
【００７９】
[0087]  ワイヤレス通信システム３００におけるキャリアアグリゲーション（ＣＡ：carrier aggregation）モードの一例では、ｅＮＢ３０５に関連付けられた第１のセルは、双方向リンク３３５を使用してＯＦＤＭＡ通信信号をＵＥ３１５−ａに送信し得、双方向リンク３３５を使用してＳＣ−ＦＤＭＡ通信信号を同じＵＥ３１５−ａから受信し得る。双方向リンク３３５は、ライセンススペクトル内の周波数に関連付けられる場合がある。同時に、ｅＮＢ３０５に関連付けられた第２のセルは、双方向リンク３３０を使用してＯＦＤＭＡ通信信号をＵＥ３１５−ａに送信し得、双方向リンク３３０を使用してＳＣ−ＦＤＭＡ通信信号を同じＵＥ３１５−ａから受信し得る。図３の例では、双方向リンク３３０は、非ライセンススペクトルにおける周波数に関連付けられてもよい。双方向リンク３３０は、ダウンリンク容量およびアップリンク容量のオフロードをｅＮＢ３０５に提供し得る。上で説明された補助ダウンリンクのように、このシナリオは、トラフィックおよび／またはシグナリング輻輳の一部を軽減する必要があるライセンススペクトルを使用する、あらゆるサービスプロバイダ（たとえば、モバイルネットワーク事業者（ＭＮＯ））に対して発生し得る。上述したように、サービスプロバイダは、双方向リンク３３０および双方向リンク３３５を使って送信されるトラフィックに対して、異なるように課金し得る。
【００８０】
[0088]  ワイヤレス通信システム３００におけるスタンドアロン（ＳＡ）モードの一例では、ｅＮＢ３０５は、双方向リンク３４０を使用してＯＦＤＭＡ通信信号をＵＥ３１５−ｂに送信し得、非ライセンススペクトル中の周波数に関連付けられ得る双方向リンク３４０を使用してＳＣ−ＦＤＭＡ通信信号を同じＵＥ３１５−ｂから受信し得る。双方向リンク３４０は、ダウンリンク容量およびアップリンク容量のオフロードをｅＮＢ３０５に提供し得る。この例および上記で提供した例は、説明のために提示され、容量のオフロードのためにライセンススペクトルと非ライセンススペクトルとを組み合わせる他の同様の動作モードまたは展開シナリオが存在し得る。サービスプロバイダは、双方向リンク３４０を使って送信されるトラフィックに対して、別のＲＡＴを使って送信されるトラフィックまたはライセンススペクトルを使って送信されるデータに対するのとは異なるように課金し得る。
【００８１】
[0089]  上で説明されたように、非ライセンススペクトル（たとえば、非ライセンス帯域におけるＬＴＥ通信）を使用することによって提供される容量オフロードから恩恵を受け得るサービスプロバイダは、ライセンススペクトルを用いる従来のＭＮＯであり得る。これらのサービスプロバイダの場合、動作例は、ライセンススペクトル上の１次コンポーネントキャリア（ＰＣＣ：primary component carrier）と非ライセンススペクトル上の２次コンポーネントキャリア（ＳＣＣ：secondary component carrier）とを使用するブートストラップモード（たとえば、補足ダウンリンク、キャリアアグリゲーション）を含み得る。
【００８２】
[0090]  ＳＤＬモードでは、非ライセンススペクトルのための制御は、ライセンススペクトル中でＬＴＥアップリンク（たとえば、双方向リンク３２５のアップリンク部分）を介してトランスポートされ得る。ダウンリンク容量オフロードを与える理由の１つは、データ需要が大部分はダウンリンク消費によって引き起こされ得るからである。その上、このモードでは、ＵＥ３１５が非ライセンススペクトル中で送信していないので、規制上の影響が小さいことがある。いくつかの例によると、信号データのボリューム（たとえば、無線リソース制御（ＲＲＣ）トラフィックボリューム、ネットワークアクセス層（ＮＡＳ）シグナリングトラフィックボリューム、および制御チャネル物理シグナリングトラフィックボリューム）が課金機能に与えられてよく、サービスプロバイダは、双方向リンク３４０を使って送信されるシグナリングトラフィックボリュームおよびデータトラフィックボリュームに対しては異なるように課金してよい。
【００８３】
[0091]  ＣＡモードでは、データおよび信号データ（たとえば、ＲＲＣデータ、ＮＡＳ信号データ、および制御チャネル物理シグナリングトラフィック）が、ライセンススペクトルを使ってＬＴＥ（たとえば、双方向リンク３３５）において伝達されてよく、データが、非ライセンススペクトルを使って伝達されてよい（たとえば、双方向リンク３３０）。いくつかの例によると、双方向リンク３３５に関連付けられたデータおよび信号データのボリュームが課金機能に与えられてよく、双方向リンク３３０に関連付けられたデータのボリュームが課金機能に与えられてよい。非ライセンススペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００８４】
[0092]  上で論じたように、事業者は、ワイヤレス通信システム中の異なるセルによってサービスされるトラフィック向けに異なるレートを課金し得る。図４は、本開示の態様による、非ライセンススペクトルにおいてＬＴＥを使用するための展開シナリオの例を概念的に示すブロック図である。方法４００は、図１、図２および／または図３を参照して記載された、アクセスポイント１０５、セル２０５および／もしくはｅＮＢ３０５、ならびに／またはコアネットワーク１３０、２３０の態様（たとえば、Ｓ−ＧＷ２３４および／もしくはＰ−ＧＷ２３６）の各々を参照して記載される。いくつかの例では、アクセスノードまたはコアネットワーク要素は、以下で説明する機能を実施するためにデバイスの機能要素を制御するためのコードの１つまたは複数のセットを実行し得る。最初に、ブロック４０５において示されるように、ＵＥと、１つまたは複数のワイヤレス接続が始動される。ワイヤレス接続は、この始動に応答して、たとえば、ＵＥとｅＮＢとの間の１つまたは複数のエアインターフェースを確立することによって確立され得る。ブロック４１０において、２つ以上のセルが、ＵＥにトラフィックをサービスするのに使われているかどうか決定される。２つ以上のセルが、ＵＥにサービスするのに使われているわけではない場合、ブロック４１５において記されるように、異なるセルに関連付けられたトラフィックボリュームの監視は実施されなくてよい。そのようなケースでは、Ｓ−ＧＷおよび／またはＰ−ＧＷによって生成されたＣＤＲは、異なるセルを使ってサービスされるトラフィックのボリュームに関連した情報なしで、サービスされるトラフィックに対して適正に課金するために必要とされる情報を捕捉することができる。
【００８５】
[0093]  ブロック４１０において、２つ以上のセルが、ＵＥにサービスするのに使われていると決定された場合、ブロック４２０において示されるように、２つ以上のセルのうちの少なくとも１つを介してサービスされるトラフィックボリュームの決定が行われる。様々な例によると、アップリンクとダウンリンクの両方に対して異なるセルを介するトラフィックボリュームのアカウンティングは、少なくとも無線ベアラごと（すなわち、ＧＴＰトンネルごと）にサポートされ得る。ＳＤＦごとの課金がＰ−ＧＷにおいて実施される例において、アクセスノードは、ＳＤＦごとにトラフィックボリュームをアカウンティングすることができ、そのような例において、アクセスノードは、ＳＤＦごとにデータボリュームのアカウントを提供するために、ＳＤＦの情報を受信することができる。そのようなＳＤＦ情報は、たとえば、ベアラがセットアップされたとき、直接構成を介して提供され得る。そのような例において、ベアラに関連付けられたＳＤＦ情報は、ＭＭＥによってフォワードされるベアラセットアップメッセージ中に含められ得る。他の例では、ＳＤＦ情報は、Ｐ−ＧＷにおいて実施されるユーザプレーンパケットマーキングにより提供され得る。そのような例では、ダウンリンクにおいて、Ｐ−ＧＷは、各パケットヘッダー中に、トラフィックフローの特定の識別子を含むことができ、アクセスノードは、この識別子をアカウンティングテーブルに追加することができる。アップリンクにおいて、アクセスノードは、ソース／宛先ＩＰアドレスとトランスポートレイヤポート（５タプル（5-tuple））とをダウンリンクパケットに入れ、データフロー識別子（たとえば、５よりも大きいタプル）をもつテーブルを作成し、アップリンクパケットを、正しいデータフロー識別子を識別するために５タプルのうちの１つと突き合わせればよく、またはアクセスノードは、異なるセルの各々を介して送信されたバイトで、アップリンクパケットをマーキングすればよい。アップリンク用の、ＳＤＦベースごとのアカウンティングが次いで、Ｐ−ＧＷにおいて実施されてよく、アクセスノードは依然として、無線ベアラごとにダウンリンクにおいてアカウンティングを実施することになる。
【００８６】
[0094]  トラフィックボリュームのアカウンティングは、いくつかの例によると、ＵＥについてのモビリティイベント時に、既存の無線ベアラが非アクティブ化されると、ＵＥ用に新たな無線ベアラまたはＲＲＣ接続が確立され、既存の無線ベアラの変更が起こるとき、またはトラフィックボリュームが閾を超えるときのうちの１つまたは複数に基づいて始動され得る。そのような始動は、サービス要求手順、アタッチ手順、および／または追跡エリア更新手順など、たとえば、ＲＲＣ−ＩＤＬＥからＲＲＣ−ＣＯＮＮＥＣＴＥＤへの移行によってトリガされ得る。始動は、たとえば、ハンドオーバ手順によってもトリガされ得る。トラフィックボリュームのアカウンティングの始動に続いて、アクセスノードは、たとえば、新たな無線ベアラがアクティブ化され、無線ベアラが修正され（たとえば、ベアラのＱｏＳが修正され）、新たなＳＤＦが与えられ（ＳＤＦベースのアカウンティングが該当する場合）、および／または新たな２次セルがアクティブ化もしくは非アクティブ化されると常に、トラフィックボリューム記録中にエントリを追加することができる。さらに、アクセスポイントは、上述したように、制御プレーンを介したシグナリングボリュームのアカウンティングを実施することもできる。いくつかの例によると、報告されるトラフィックボリュームのうちの１つまたは複数は、アクセスポイント名（ＡＰＮ）、デフォルトのデータベアラ、専用データベアラ、ＩＰフロー、またはＴＣＰ接続のうちの１つまたは複数に関連付けられたトラフィックボリュームを含み得る。トラフィックボリュームは、たとえば、データトラフィックボリュームまたはシグナリングトラフィックボリュームを含み得る。シグナリングトラフィックボリュームは、たとえば、無線リソース制御（ＲＲＣ）トラフィックボリューム、ネットワークアクセス層（ＮＡＳ）シグナリングトラフィックボリューム、および制御チャネル物理シグナリングトラフィックボリュームを含み得る。
【００８７】
[0095]  ブロック４２５において、２つ以上のセルのうちの少なくとも１つのためのトラフィックボリュームが、コアネットワークにおける課金機能において使用するために報告される。たとえば、ｅＮＢは、トラフィックボリュームをＭＭＥ、Ｐ−ＧＷ、および／またはＳ−ＧＷに報告することができ、これらは、ＣＤＲを作成するのに使われ得る。様々な例によると、Ｓ−ＧＷ  ＣＤＲとＰ−ＧＷ  ＣＤＲの両方が、データトラフィックおよび／またはシグナリングトラフィックボリュームをサービスするのに使われる異なるセルを介するデータボリュームについての明示的アカウントを含むように拡張され得る。いくつかの例では、アクセスポイント１０５などのアクセスポイントが、異なるセルを介して送信されるデータボリュームの別個のアカウンティングを提供するための機能性をサポートし得る。そのようなデータボリュームは、ＩＰレイヤパケットを含んでよく、たとえば、順序配信と、フラグメント化と、再アセンブリとを可能にするために、メディアアクセス制御（ＭＡＣ）レイヤによって追加されるＲＬＣまたはＰＤＣＰヘッダを含まなくてよい。いくつかの例では、シグナリングトラフィックボリュームデータは第１または１次セルによって与えられてよく、データトラフィックボリュームは、第１のセルおよび／または１つもしくは複数の他のセルによって与えられてよい。
【００８８】
[0096]  アクセスノードは、いくつかの異なる報告機構のうちの１つを含み得る。たとえば、アクセスノードは、第１および第２のセルを経由してサービスされるトラフィックボリュームを、ＭＭＥを経由して、制御プレーンシグナリングを介してＳ−ＧＷに報告することができる。Ｓ−ＧＷは次いで、いくつかの例によると、この情報をＰ−ＧＷに中継すればよい。Ｓ−ＧＷ  ＣＤＲおよびＰ−ＧＷ  ＣＤＲは、異なるセルを介するトラフィックボリュームについての明示的アカウントを含み得る。他の例では、アクセスノードは、異なるセルを介してサービスされるトラフィックボリュームを、Ｓ１−Ｕインターフェースを直接介して、Ｓ−ＧＷに報告し得る。たとえば、アクセスノードは、ＧＴＰ−Ｕトンネル中のデータボリュームを、ベアラ向けの１つもしくは複数のヘッダ拡張のうちの一部として、または別個のＧＴＰ−Ｃメッセージ中で報告し得る。Ｓ−ＧＷは、この情報をＰ−ＧＷに中継すればよく、Ｓ−ＧＷ  ＣＤＲおよびＰ−ＧＷ  ＣＤＲは、第１および第２のセルを介するデータボリュームについての明示的アカウントを含めればよい。さらなる例において、アクセスノードは、アクセスノードＣＤＲ（たとえば、ｅＮＢ  ＣＤＲ）の作成により、課金ゲートウェイ機能（ＣＧＦ）に直接、またはアクセスノード中でＣＧＦが作成されない場合、課金データ機能（ＣＤＦ）に、異なるセルのデータボリュームを報告することができる。コアネットワークのＣＧＦ、または他のどの料金請求エンティティも次いで、Ｓ−ＧＷ  ＣＤＲ、Ｐ−ＧＷ  ＣＤＲおよび／またはｅＮＢ  ＣＤＲを相関させ得る。
【００８９】
[0097]  上述したように、いくつかの例によると、データボリュームの報告は、ＭＭＥを介してＳ−ＧＷに与えられ得る。上述したように、Ｓ−ＧＷ／Ｐ−ＧＷは、ＵＥのＵＬＩ変化およびＱｏＳ変化に基づく新たな記録の追加のためのトリガをサポートすることができ、ベアラ非アクティブ化に基づいて記録を閉じればよい。いくつかの例では、トラフィックボリューム情報の報告は、ハンドオーバ手順中、およびベアラ変更手順中に、ＵＥがＲＲＣ−ＩＤＬＥに移ると、提供され得る。オンライン課金と動的規制（policying）とを使い得る例など、他の例では、そのような情報は、Ｓ−ＧＷ／Ｐ−ＧＷに定期的に提供され得る。
【００９０】
[0098]  図５は、本開示の態様による、トラフィックボリューム情報を送信するための例示的な動作を示す流れ図５００である。いくつかの例におけるトラフィックボリュームは、流れ図５００に従って、Ｓ１解放中に報告され得る。Ｓ１解放手順は、ＵＥを、ＲＲＣ接続済み状態からＲＲＣアイドル状態に解放し得る。この例では、ＵＥ５１５は、ＲＲＣ接続解放メッセージ５２０をｅＮＢ５０５から受信し得る。ＵＥ５１５は、たとえば、図１、図２、および／または図３のＵＥ１１５、２１５、および／または３１５の一例であり得る。ｅＮＢ５０５は、たとえば、図１、図２、および／または図３のアクセスポイント１０５、セル２０５、および／またはｅＮＢ３０５の一例であり得る。ｅＮＢ５０５は次いで、ＭＭＥ５３２にＳ１コンテキスト解放要求５２５を（Ｓ１インターフェースを介して）送信すればよい。ＭＭＥ５３２は、たとえば、図２のＭＭＥ２３２の一例であり得る。いくつかの例によると、Ｓ１コンテキスト解放メッセージは、Ｓ１  ＵＥコンテキスト解放要求メッセージ中に「トラフィックボリューム記録」情報要素を含み得る。トラフィックボリューム記録は、たとえば、異なるセルを介してサービスされるトラフィックのトラフィックボリューム、各セルに関連付けられたＲＡＴ、各セルがライセンス、非ライセンスもしくは認可共有スペクトルを使うかの指示、各セルのアイデンティティ、報告のタイムスタンプ、および／またはセルに関連付けられた各無線ベアラについての無線ベアラ特性を含み得る。
【００９１】
[0099]  ＭＭＥ５３２は次いで、Ｓ−ＧＷ５３４にアクセスベアラ解放要求５３０を送信することができる。Ｓ−ＧＷは、たとえば、図２のＳ−ＧＷ２３４の一例であり得る。いくつかの例によると、アクセスベアラ解放要求５３０は、ＭＭＥ５３２がｅＮＢ５０５から受信したデータボリューム記録情報要素も含み得る。Ｓ−ＧＷ５３４は、受信した情報を、Ｓ−ＧＷ５２４  ＣＤＲを修正するのに使い、いくつかの例では、同じデータボリューム記録情報要素を、Ｐ−ＧＷ（図２のＰ−ＧＷ２３６など）へのアクセスベアラ解放要求メッセージ中に含めればよい。この情報は、適宜に、Ｐ−ＧＷにおいて、ＰＧＷ  ＣＤＲを修正するのに使われ得る。Ｓ１解放の残りのステップは、５３５において示されており、ＵＥ５１５、ｅＮＢ５０５、ＭＭＥ５３２、およびＳ−ＧＷ５３４の間で転送される確立済みＳ１解放メッセージに対応する。
【００９２】
[0100]  図６Ａおよび図６Ｂは、本開示の態様による、トラフィックボリューム情報を送信するための例示的な動作を示す別の流れ図６００を示す。図６Ａおよび図６Ｂに示したような例におけるトラフィックボリュームが、流れ図６００に従って、Ｓ１ベースのハンドオーバ動作中に報告され得る。Ｓ１ベースのハンドオーバ動作は、ＵＥ６１５への接続を、ソースｅＮＢ６０５−ａからターゲットｅＮＢ６０５−ｂにハンドオーバし得る。この例では、ＵＥ６１５は、Ｐ−ＧＷ６３６から、ソースＳ−ＧＷ６３４−ａおよびソースｅＮＢ６０５−ａを介して、ダウンリンクユーザプレーンデータ６１０を受信し得る。ＵＥ６１５は、たとえば、図１、図２、図３、および／または図５のＵＥ１１５、２１５、３１５、および／または５１５の一例であり得る。ソースｅＮＢ６０５−ａおよびターゲットｅＮＢ６０５−ｂは、たとえば、図１、図２、図３、および／または図５のアクセスポイント１０５、セル２０５、ならびに／またはｅＮＢ３０５および／もしくは５０５の例であり得る。ブロック６２５において、ソースｅＮＢ６０５−ａおよびターゲットｅＮＢ６０５−ｂは、Ｓ１によりＵＥ６１５の再配置をトリガするという決定を行う。ソースｅＮＢ６０５−ａは次いで、ハンドオーバ必要メッセージ６３０をソースＭＭＥ６３２−ａに送る。いくつかの例によると、ハンドオーバ必要メッセージは、図５を参照して上述したトラフィックボリューム記録と同様の「トラフィックボリューム記録」情報要素を含み得る。トラフィックボリューム記録は、ソースＭＭＥ６３２−ａに与えられ、たとえば、異なるセルを介してサービスされるトラフィックのボリューム、各セルに関連付けられたＲＡＴ、各セルがライセンス、非ライセンスもしくは認可共有スペクトルを使うかの指示、各セルのアイデンティティ、報告のタイムスタンプ、および／またはセルに関連付けられた各無線ベアラについての無線ベアラ特性を含み得る。
【００９３】
[0101]  ハンドオーバ必要メッセージ６３０に続いて、図６ＡのＳ１ベースのハンドオーバ動作の残りのステップは、６３５において示されており、ＵＥ６１５、ソースｅＮＢ６０５−ａ、ターゲットｅＮＢ６０５−ｂ、ソースＭＭＥ６３２−ａ、ターゲットＭＭＥ６３２−ｂ、ソースＳ−ＧＷ６３４−ａ、ターゲットＳ−ＧＷ６３４−ｂ、Ｐ−ＧＷ６３６、およびＨＳＳ６２０のうちの１つまたは複数の間で転送される確立済みＳ１ベースのハンドオーバメッセージに対応する。Ｓ１ベースのハンドオーバ動作は図６Ｂにおいて続き、ＵＥ６１５が、６４０において示されるように、ソースｅＮＢ６０５−ａの古いセルから分離し、ターゲットｅＮＢ６０５−ｂにおける新たなセルと同期する。動作６４０に続いて、６４５において示される、図６ＢのＳ１ベースのハンドオーバ動作のステップは、ＵＥ６１５、ソースｅＮＢ６０５−ａ、ターゲットｅＮＢ６０５−ｂ、ソースＭＭＥ６３２−ａ、ターゲットＭＭＥ６３２−ｂ、ソースＳ−ＧＷ６３４−ａ、ターゲットＳ−ＧＷ６３４−ｂ、Ｐ−ＧＷ６３６、およびＨＳＳ６２０のうちの１つまたは複数の間で転送される確立済みＳ１ベースのハンドオーバメッセージに対応する。動作６５０において、ソースＭＭＥ６３２−ａは、ソースＳ−ＧＷ６３４−ａにセッション消去要求を送る。
【００９４】
[0102]  いくつかの例によると、セッション消去要求６５０は、図５を参照して上述したトラフィックボリューム記録と同様のトラフィックボリューム記録情報要素を含む。トラフィックボリューム記録は、ソースＳ−ＧＷ６３４−ａに与えられ、たとえば、異なるセルを介してサービスされるトラフィックのボリューム、各セルに関連付けられたＲＡＴ、各セルがライセンス、非ライセンスもしくは認可共有スペクトルを使うかの指示、各セルのアイデンティティ、報告のタイムスタンプ、および／またはセルに関連付けられた各無線ベアラについての無線ベアラ特性を含み得る。セッション消去要求６５０に続いて、図６ＢのＳ１ベースのハンドオーバ動作の残りのステップは、６５５において示されており、ＵＥ５１５、ソースｅＮＢ６０５−ａ、ターゲットｅＮＢ６０５−ｂ、ソースＭＭＥ６３２−ａ、ターゲットＭＭＥ６３２−ｂ、ソースＳ−ＧＷ６３４−ａ、ターゲットＳ−ＧＷ６３４−ｂ、Ｐ−ＧＷ６３６、およびＨＳＳ６２０の間で転送される確立済みＳ１ベースのハンドオーバメッセージに対応する。
【００９５】
[0103]  またさらなる例では、ｅＮＢが、Ｘ２ベースのハンドオーバ動作中に、セル向けのトラフィックボリュームについて報告し得る。いくつかのそのような例において、図１〜図３および／または図５〜図６のアクセスポイント１０５、セル２０５、ならびに／またはｅＮＢ３０５、５０５、および／もしくは６０５などのターゲットｅＮＢが、図１および／もしくは図２のコアネットワーク１３０もしくは２３０、または図５および／もしくは図６のネットワーク要素など、コアネットワークのネットワーク要素にハンドオーバを報告する。いくつかの例では、ソースｅＮＢは、ハンドオーバ手順中に、トラフィックボリューム記録情報要素を（図５および／または図６を参照して上述したのと同様に）ターゲットｅＮＢに提供し得る。ターゲットｅＮＢは次いで、トラフィックボリューム記録をＭＭＥ（たとえば、図２、図５、および／または図６のＭＭＥ２３２、５３２、および／または６３２）にフォワードすればよく、ＭＭＥは、トラフィックボリューム記録を、ベアラ修正要求メッセージ中でソースＳ−ＧＷ（たとえば、図２、図５、および／または図６のＳ−ＧＷ２３４、５３４、および／または６３４−ａ）にフォワードすればよい。Ｓ−ＧＷは次いで、トラフィックボリューム記録を、ベアラ修正要求メッセージ中でソースＰ−ＧＷ（たとえば、図２、図５、および／または図６のＰ−ＧＷ２３６、５３６、および／または６３６−ａ）にフォワードすればよい。ソースＰ−ＧＷは、上述したのと同様にＣＤＲを生成し得る。
【００９６】
[0104]  いくつかの例では、トラフィックボリュームの報告は、１つまたは複数のイベントによってトリガされ得る。たとえば、トラフィックボリュームの報告は、ベアラ変更および／または非アクティブ化中に与えられ得る。そのような例において、ベアラが修正または非アクティブ化されると、ｅＮＢ（たとえば、図１、図２、図３、図５、および／または図６のアクセスポイント１０５、セル２０５、ならびに／またはｅＮＢ３０５、５０５、および／もしくは６０５）は、トラフィックボリュームを、Ｓ１−ＭＭＥシグナリングとともにＭＭＥ（たとえば、図２、図５、および／または図６のＭＭＥ２３２、５３２、および／または６３２）に報告することができる。ＭＭＥは次いで、この情報を、ＣＤＲの生成のために、上述したのと同様に、Ｓ−ＧＷ（たとえば、図２、図５、および／または図６のＳ−ＧＷ２３４、５３４、および／または６３４−ａ）にフォワードすればよい。
【００９７】
[0105]  さらなる例において、トラフィックボリュームは、Ｓ１−Ｕインターフェースを介してＳ−ＧＷ（たとえば、図２、図５、および／または図６のＳ−ＧＷ２３４、５３４、および／または６３４−ａ）に報告され得る。そのような例において、ｅＮＢ（たとえば、図１、図２、図３、図５、および／または図６のアクセスポイント１０５、セル２０５、ならびに／またはｅＮＢ３０５、５０５、および／もしくは６０５）が、ユーザプレーンデータボリューム（および可能性としてはシグナリングボリューム）を、ＧＴＰ−Ｃシグナリングを使って、Ｓ１−Ｕインターフェースにより、異なるセルを介してＳ−ＧＷに報告する。そのような報告は、トリガ駆動および／または定期的であってよい。そのような報告がトリガ駆動である例において、トリガは、たとえば、無線ベアラ変更、アクティブ化、および／もしくは非アクティブ化、ＲＲＣ接続解放、モビリティイベント、またはトラフィックボリュームの量が（たとえば、ＭＢごとの）トラフィックボリュームの１つもしくは複数の閾量を超えることのうちの１つまたは複数を含み得る。Ｓ−ＧＷは、この情報を、Ｓ−ＧＷ  ＣＤＲを修正するのに使い、セル固有トラフィックボリュームを含み得る。いくつかの例におけるＳ−ＧＷはまた、Ｐ−ＧＷ  ＣＤＲの作成のために、情報をＰ−ＧＷにフォワードし得る。
【００９８】
[0106]  さらなる例において、トラフィックボリュームは、ｅＮＢ（たとえば、図１、図２、図３、図５、および／または図６のアクセスポイント１０５、セル２０５、ならびに／またはｅＮＢ３０５、５０５、および／もしくは６０５）によって、ＣＧＦおよび／またはＣＤＦに直接報告され得る。そのような例において、ｅＮＢは、トラフィックボリューム、および可能性としてはシグナリングを報告することができ、ボリュームは、異なるセルを介して、ＣＧＦに、またはＣＤＦ機能性がアクセスノードの外にある場合はＣＤＦに、直接送信される。ＣＧＦ、または他のどの料金請求エンティティも、１つまたは複数のＳ−ＧＷ  ＣＤＲ、Ｐ−ＧＷ  ＣＤＲ、およびｅＮＢ  ＣＤＲから受信された情報を相関させ得る。
【００９９】
[0107]  図７Ａおよび図７Ｂは、本開示の態様による、トラフィックボリューム決定において使用するための、ｅＮＢまたはコアネットワーク要素などのデバイスを概念的に示すブロック図である。最初に図７Ａを参照すると、ブロック図７００は、様々な例によるトラフィックボリューム決定において使用するためのデバイス７０５を示す。いくつかの例では、デバイス７０５は、図１、図２、図３、図５、および／または図６を参照して記載されたアクセスポイント１０５、セル２０５、ならびに／またはｅＮＢ３０５、５０５、および／もしくは６０５、ＭＭＥ２３２、５３２、および／もしくは６３２、Ｓ−ＧＷ２３４、５３４、および／もしくは６３４、ならびに／またはＰ−ＧＷ２３６および／もしくは６３６の１つまたは複数の態様の例であり得る。デバイス７０５は、プロセッサでもあり得る。デバイス７０５は、受信機モジュール７１０、トラフィックボリューム決定モジュール７２０、および／または送信機モジュール７３０を含み得る。これらの構成要素の各々は互いと通信している場合がある。
【０１００】
[0108]  デバイス７０５の構成要素は、ハードウェアにおいて適用可能な機能の一部または全部を実施するように適応された１つまたは複数の特定用途向け集積回路ＡＳＩＣとともに、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１０１】
[0109]  いくつかの例では、デバイス７０５はアクセスノードの例であってよく、受信機モジュール７１０は、ライセンススペクトルおよび／または非ライセンススペクトルの中で伝送を受信するように動作可能なＲＦ受信機などの無線周波数（ＲＦ）受信機であるか、またはそれを含み得る。受信機モジュール７１０は、図１、図２、および／または図３を参照しながら説明した１つまたは複数の通信リンク１２５、２４０、２４５、および／または３２０〜３４０など、ライセンスおよび非ライセンススペクトルを含むワイヤレス通信システムの１つまたは複数の通信リンク上で様々なタイプのデータおよび／または制御信号（すなわち、送信）を受信するために使用され得る。いくつかの例では、デバイス７０５は、コアネットワークのネットワーク要素の例であってよく、受信機モジュール７１０は、ワイヤードネットワークインターフェースを介してネットワーク通信を受信することができるネットワーク通信構成要素であるか、またはそれを含み得る。
【０１０２】
[0110]  いくつかの例では、デバイス７０５はアクセスノードの例であってよく、送信機モジュール７３０は、ライセンススペクトルおよび／または非ライセンススペクトルの中で送信するように動作可能なＲＦ送信機などのＲＦ送信機であるか、またはそれを含み得る。送信機モジュール７３０は、図１、図２、および／または図３を参照しながら説明した１つまたは複数の通信リンク１２５、２４０、２４５、および／または３２０〜３４０など、ワイヤレス通信システムの１つまたは複数の通信リンク上で様々なタイプのデータおよび／または制御信号（すなわち、送信）を送信するために使用され得る。いくつかの例では、デバイス７０５は、コアネットワークのネットワーク要素の例であってよく、送信機モジュール７３０は、ワイヤードネットワークインターフェースを介してネットワーク通信を受信することができるネットワーク通信構成要素であるか、またはそれを含み得る。
【０１０３】
[0111]  いくつかの例では、トラフィックボリューム決定モジュール７２０は、たとえば、図１〜図６を参照して上述したような、アクセスポイントに関連付けられた１つまたは複数の異なるセルを介してサービスされるトラフィックボリュームの決定を含むトラフィックボリューム決定手順を構成および／または実施し得る。
【０１０４】
[0112]  ここで図７Ｂを参照すると、ブロック図７５０は、様々な例による、ワイヤレス通信において使用するためのデバイス７５５を示す。いくつかの例では、デバイス７５５は、図１、図２、図３、図５、および／または図６を参照して記載されたアクセスポイント１０５、セル２０５、ならびに／またはｅＮＢ３０５、５０５、および／もしくは６０５、ＭＭＥ２３２、５３２、および／もしくは６３２、Ｓ−ＧＷ２３４、５３４、および／もしくは６３４、ならびに／またはＰ−ＧＷ２３６および／もしくは６３６の１つまたは複数の態様の例であり得る。デバイス７０５は、プロセッサでもあり得る。デバイス７５５は、受信機モジュール７１２、トラフィックボリューム決定モジュール７２０−ａ、および／または送信機モジュール７３２を含み得る。これらの構成要素の各々は互いと通信している場合がある。
【０１０５】
[0113]  デバイス７５５の構成要素は、適用可能な機能の一部または全部をハードウェアで実施するように適応された１つまたは複数のＡＳＩＣを用いて、個々にまたはまとめて実装され得る。代替として、それらの機能は、１つまたは複数の他の処理ユニット（またはコア）によって、１つまたは複数の集積回路上で実施される場合がある。他の例では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１０６】
[0114]  いくつかの例では、受信機モジュール７１２は、図７Ａの受信機モジュール７１０の一例であり得る。デバイス７５５がアクセスノードに含まれる例では、受信機モジュール７１２は、ライセンススペクトルおよび／または非ライセンススペクトルの中で送信を受信するように動作可能なＲＦ受信機などの無線周波数（ＲＦ）受信機であるか、またはそれを含み得る。ＲＦ受信機は、ライセンススペクトルおよび非ライセンススペクトルのための別個の受信機を含み得る。いくつかの場合、別個の受信機は、ライセンススペクトルモジュール７１４および非ライセンススペクトルモジュール７１６という形態をとり得る。ライセンススペクトルモジュール７１４および非ライセンススペクトルモジュール７１６を含む受信機モジュール７１２は、図１、図２、および／または図３を参照しながら説明したワイヤレス通信システム１００および／もしくは３００ならびに／またはネットワークアーキテクチャ２００の１つまたは複数の通信リンクなど、ライセンスおよび非ライセンススペクトルを含むワイヤレス通信システムの１つまたは複数の通信リンク上で様々なタイプのデータおよび／または制御信号（すなわち、送信）を受信するために使用され得る。
【０１０７】
[0115]  いくつかの例では、送信機モジュール７３２は、図７Ａの送信機モジュール７３０の一例であり得る。デバイス７５５がアクセスノードに含まれる例では、送信機モジュール７３２は、ライセンススペクトルおよび／または非ライセンススペクトルの中で送信するように動作可能なＲＦ送信機などのＲＦ送信機であるか、またはそれを含み得る。ＲＦ送信機は、ライセンススペクトルおよび非ライセンススペクトルのための別個の送信機を含み得る。いくつかの場合、別個の送信機は、ライセンススペクトルモジュール７３４および非ライセンススペクトルモジュール７３６という形態をとり得る。送信機モジュール７３２は、図１、図２、および／または図３を参照しながら説明したワイヤレス通信システム１００および／もしくは３００ならびに／またはネットワークアーキテクチャ２００の１つまたは複数の通信リンクなど、ワイヤレス通信システムの１つまたは複数の通信リンク上で様々なタイプのデータおよび／または制御信号（すなわち、送信）を送信するために使用され得る。
【０１０８】
[0116]  トラフィックボリューム決定モジュール７２０−ａは、図７Ａを参照して記載されたトラフィックボリューム決定モジュール７２０の例であってよく、第１のセルトラフィック決定モジュール７６５、第２のセルトラフィック決定モジュール７７５、ならびに／または第１および第２のセル識別モジュール７８０を含み得る。これらの構成要素の各々は互いと通信している場合がある。
【０１０９】
[0117]  いくつかの例では、第１のセルトラフィック決定モジュール７６５は、第１のセルを使ってサービスされるトラフィックについてのトラフィックボリュームを決定することができる。第２のセルトラフィック決定モジュール７７５は、第２のセルを使ってサービスされるトラフィックについてのトラフィックボリュームを決定することができる。いくつかの例では、第１のセルおよび第２のセルによってサービスされるトラフィック向けのレートは異なり得る。第１のセルおよび第２のセル識別モジュール７８０は、第１のセルおよび第２のセルの一方または両方に関連した識別および／または他の情報を提供することができ、情報は、特定のセル向けの適切な課金レートを決定するのに使われ得る。トラフィックボリューム決定モジュール７２０−ａは、単独で、または受信機モジュール７１２および送信機モジュール７３２とともに、たとえば、図１〜図６を参照して上述したような、アクセスポイントに関連付けられた１つまたは複数の異なるセルを介してサービスされるトラフィックボリュームの決定を含むトラフィックボリューム決定手順の構成および／または実施に関連した機能を実施することができる。
【０１１０】
[0118]  図８は、本開示の態様による、基地局の設計を概念的に示すブロック図８００である。いくつかの例では、基地局８０５は、図１、図２、図３、図５、図６、図７Ａ、および／または図７Ｂに関して説明したアクセスポイント、セル、ｅＮＢ、またはデバイス１０５、２０５、３０５、５０５、６０５、７０５、および／もしくは７５５の１つまたは複数の態様の一例であり得る。基地局８０５は、図１、図２、図３、図４、図５、図６Ａ、図６Ｂ、図７Ａ、および／または図７Ｂを参照して記載された、１つまたは複数の異なるセルによってＵＥに与えられるトラフィックボリュームを報告する動作のための特徴および機能のうちの少なくともいくつかを実装するように構成され得る。基地局８０５は、プロセッサモジュール８１０、メモリモジュール８２０、（トランシーバモジュール８５５によって表される）少なくとも１つのトランシーバモジュール、（アンテナ８６０によって表される）少なくとも１つのアンテナ、および／またはｅＮＢセル管理モジュール８７０を含み得る。基地局８０５はまた、基地局通信モジュール８３０およびネットワーク通信モジュール８４０のうちの一方または両方を含み得る。これらの構成要素の各々は、１つまたは複数のバス８３５を介して、直接的または間接的に互いに通信していることがある。
【０１１１】
[0119]  メモリモジュール８２０は、ランダムアクセスメモリ（ＲＡＭ）および／または読取り専用メモリ（ＲＯＭ）を含み得る。メモリモジュール８２０は、実行されると、１つまたは複数のセルについてのトラフィックボリュームの報告のための、本明細書で説明する様々な機能をプロセッサモジュール８１０に実施させるように構成された命令を含んでいるコンピュータ可読、コンピュータ実行可能ソフトウェア（ＳＷ）コード８２５を記憶し得る。代替的に、ソフトウェアコード８２５は、プロセッサモジュール８１０によって直接実行可能でないことがあるが、たとえば、コンパイルされ実行されると、基地局８０５に本明細書で説明される機能のうちのいくつかを実施させるように構成され得る。
【０１１２】
[0120]  プロセッサモジュール８１０は、インテリジェントハードウェアデバイス、たとえば、中央処理ユニット（ＣＰＵ）、マイクロコントローラ、ＡＳＩＣなどを含み得る。プロセッサモジュール８１０は、トランシーバモジュール８５５、基地局通信モジュール８３０、および／またはネットワーク通信モジュール８４０を通して受信された情報を処理し得る。プロセッサモジュール８１０はまた、アンテナ８６０を通じた送信のためにトランシーバモジュール８５５に送られるべき情報、１つもしくは複数の他の基地局８０５−ａおよび８０５−ｂへの送信のために基地局通信モジュール８３０に送られるべき情報、ならびに／あるいは図１および／もしくは図２を参照して説明されたコアネットワーク１３０および／もしくは２３０ならびに／または図５および／もしくは図６を参照して説明されたコアネットワークの他のネットワーク要素の態様の例であり得るコアネットワーク８４５への送信のためにネットワーク通信モジュール８４０に送られるべき情報を処理し得る。プロセッサモジュール８１０は、単独で、またはｅＮＢセル管理モジュール８７０とともに、上述したように、１つまたは複数のＵＥとのワイヤレス通信用に２つ以上のセルを使う様々な態様を扱うことができる。
【０１１３】
[0121]  トランシーバモジュール８５５は、パケットを変調し、変調されたパケットを送信のためにアンテナ８６０に与え、アンテナ８６０から受信されたパケットを復調するように構成されたモデムを含み得る。トランシーバモジュール８５５は、１つまたは複数の送信機モジュールおよび１つまたは複数の別個の受信機モジュールとして実装され得る。トランシーバモジュール８５５は、たとえば、少なくとも１つのライセンススペクトルにおける、および少なくとも１つの非ライセンススペクトルにおける通信など、１つまたは複数のＲＡＴを使う通信をサポートし得る。トランシーバモジュール８５５は、たとえば、図１、図２、図３、図５、および／または図６に関して説明したＵＥまたはデバイス１１５、２１５、３１５、５１５、および／もしくは６１５のうちの１つまたは複数と、アンテナ８６０を介して、双方向に通信するように構成され得る。基地局８０５は、複数のアンテナ８６０（たとえば、アンテナアレイ）を含み得る。基地局８０５は、ネットワーク通信モジュール８４０を通してコアネットワーク８４５と通信し得る。基地局８０５は、基地局通信モジュール８３０を使用して、基地局８０５−ａおよび８０５−ｂなどの他の基地局または基地局と通信し得る。
【０１１４】
[0122]  図８のアーキテクチャによると、基地局８０５は、通信管理モジュール８５０をさらに含み得る。通信管理モジュール８５０は、他の基地局、基地局、および／またはデバイスとの通信を管理し得る。通信管理モジュール８５０は、１つまたは複数のバス８３５を介して、基地局８０５の他の構成要素の一部または全部と通信し得る。代替として、通信管理モジュール８５０の機能性は、トランシーバモジュール８５５の構成要素として、コンピュータプログラム製品として、および／またはプロセッサモジュール８１０の１つもしくは複数のコントローラ要素として実装され得る。
【０１１５】
[0123]  ｅＮＢセル管理モジュール８７０は、図１、図２、図３、図４、図５、図６Ａ、図６Ｂ、図７Ａ、および／または図７Ｂを参照して記載されたトラフィックボリューム決定および報告機能または態様の一部または全部を実施および／または制御するように構成され得る。ｅＮＢセル管理モジュール８７０は、ライセンススペクトルにおけるＬＴＥ通信を扱うように構成されたライセンスＬＴＥモジュール８７５、非ライセンススペクトルにおけるＬＴＥ通信を扱うように構成された非ライセンスＬＴＥモジュール８８０、および／または非ライセンススペクトルにおける他の通信（たとえば、ＷＬＡＮにおけるＷｉ−Ｆｉ通信）を扱うように構成された非ライセンスモジュール８８５を含み得る。ｅＮＢセル管理モジュール８７０は、たとえば、図１、図２、図３、図４、図５、図６Ａ、図６Ｂ、図７Ａ、および／または図７Ｂを参照して記載されたトラフィックボリューム決定および報告手順および機能をサポートするように構成されたもののうちのいずれをも与えるように構成されたトラフィックボリュームモジュール８９０も含み得る。トラフィックボリュームモジュール８９０は、図７Ａおよび／または図７Ｂを参照しながら説明した同様のモジュール（たとえば、トラフィックボリューム決定モジュール７２０および／または７２０−ａ）の一例であり得る。ｅＮＢセル管理モジュール８７０、またはその一部は、プロセッサを含んでよく、ならびに／または、ｅＮＢセル管理モジュール８７０の機能性のいくつかもしくはすべては、プロセッサモジュール８１０によって、および／もしくはプロセッサモジュール８１０に関連して実施され得る。
【０１１６】
[0124]  図９は、本開示の態様による、コアネットワーク中のノードの設計を概念的に示すブロック図９００である。ノード９０２は、本開示の態様による、ＭＭＥ２３２、５３２、６３２、Ｓ−ＧＷ２３４、５３４、６３４、またはＰ−ＧＷ２３６、６３６の例であり得る。ノード９０２は、図１、図２、図３、図４、図５、図６Ａ、図６Ｂ、図７Ａ、７Ｂ、および／または図８を参照して記載された、１つまたは複数の異なるセルによってＵＥに与えられるトラフィックボリュームに関連した動作のための特徴および機能のうちの少なくともいくつかを実装するように構成され得る。ノード９０２は、図１、図２、図３、図５、図６、図７Ａ、図７Ｂ、および／または図８に関して説明したアクセスポイント、セル、ｅＮＢまたはデバイス１０５、２０５、３０５、５０５、６０５、７０５、７５５、および／もしくは８０５のうちの１つまたは複数と通信するように構成され得る。
【０１１７】
[0125]  ノード９０２は、プロセッサモジュール９１０と、メモリモジュール９２０と、通信管理モジュール９３０と、トラフィックボリュームモジュール９４０と、ネットワーク通信モジュール９７０とを含み得る。これらの構成要素の各々は、１つまたは複数のバス９３５を介して、直接または間接的に互いに通信していることがある。
【０１１８】
[0126]  メモリモジュール９２０は、ＲＡＭおよび／またはＲＯＭを含み得る。メモリモジュール９２０は、実行されると、１つまたは複数の異なるセルによってＵＥに与えられるトラフィックボリュームに関連した、本明細書で説明する様々な機能をプロセッサモジュール９１０に実施させるように構成された命令を含んでいるコンピュータ可読、コンピュータ実行可能ソフトウェア（ＳＷ）コード９２５を記憶し得る。代替的に、ソフトウェアコード９２５は、プロセッサモジュール９１０によって直接実行可能でないことがあるが、（たとえば、コンパイルされ実行されたとき）ＵＥ９１５に、本明細書で説明されるノード９０２の様々な機能を実施させるように構成され得る。
【０１１９】
[0127]  プロセッサモジュール９１０は、インテリジェントハードウェアデバイス、たとえば、ＣＰＵ、マイクロコントローラ、ＡＳＩＣなどを含む場合がある。プロセッサモジュール９１０は、ネットワーク通信モジュール９７０を通して受信された情報ならびに／またはｅＮＢ９０５、ＭＭＥ９３２、Ｓ−ＧＷ９３４、および／もしくはＰ−ＧＷ９３６など、他のネットワーク要素への情報を処理することができる。プロセッサモジュール９１０は、単独で、またはトラフィックボリュームモジュール９４０とともに、トラフィックボリューム決定および報告機能に関連した動作の様々な態様または図１、図２、図３、図４、図５、図６Ａ、図６Ｂ、図７Ａ、図７Ｂ、および／もしくは図８を参照して記載された態様を扱うことができる。
【０１２０】
[0128]  通信管理モジュール９３０は、ｅＮＢ９０５、ＭＭＥ９３２、Ｓ−ＧＷ９３４、および／またはＰ−ＧＷ９３６など、他のネットワーク要素との通信を管理し得る。通信管理モジュール９３０は、バス９３５を介してノード９０２の他の構成要素の一部または全部と通信し得る。代替的に、通信管理モジュール９３０の機能性は、ネットワーク通信モジュール９７０の構成要素として、コンピュータプログラム製品として、および／またはプロセッサモジュール９１０の１つもしくは複数のコントローラ要素として実装され得る。
【０１２１】
[0129]  トラフィックボリュームモジュール９４０は、１つまたは複数の異なるセルによって課金機能のためにＵＥにサービスされるトラフィックボリュームを使うことに関連した、図１、図２、図３、図４、図５、図６Ａ、図６Ｂ、図７Ａ、図７Ｂ、および／または図８において記載されたトラフィックボリューム機能または態様の一部または全部を実施および／または制御するように構成され得る。たとえば、トラフィックボリュームモジュール９４０は、トラフィックボリューム情報を受信し、トラフィックボリューム情報に基づいてＣＤＲを生成するように構成され得る。トラフィックボリュームモジュール９４０は、図７Ａおよび／または図７Ｂを参照しながら説明した同様のモジュール（たとえば、トラフィックボリューム決定モジュール７２０および／または７２０−ａ）の一例であり得る。トラフィックボリュームモジュール９４０もしくはその部分は、プロセッサを含んでよく、ならびに／またはトラフィックボリュームモジュール９４０の機能性の一部もしくは全部は、プロセッサモジュール９１０によって、および／もしくはプロセッサモジュール９１０に関連して実施され得る。
【０１２２】
[0130]  図１０は、本開示の態様による、ワイヤレス通信の方法の一例を概念的に示すフローチャート１０００である。明快のために、方法１０００について、図１、図２、図３、図５、図６、図７Ａ、図７Ｂ、および／または図８に関して説明したアクセスポイント、セル、ｅＮＢまたはデバイス１０５、２０５、３０５、５０５、６０５、７０５、７５５および／または８０５の各々を参照しながら以下で説明する。一例では、アクセスノードまたはデバイスは、以下で説明する機能を実施するためにアクセスノードまたはデバイスの機能要素を制御するためのコードの１つまたは複数のセットを実行し得る。
【０１２３】
[0131]  ブロック１００５において、第１のセルとＵＥとの間でサービスされる第１のトラフィックボリュームが決定される。ブロック１００５における動作は、いくつかのケースでは、トラフィックボリューム決定モジュール７２０を、図７Ａを参照して記載された他の構成要素とともに、第１のセルトラフィック決定モジュール７６５を、図７Ｂを参照して記載された他の構成要素とともに、および／またはｅＮＢセル管理モジュール８７０を、図８を参照して記載された他の構成要素とともに使って実施され得る。
【０１２４】
[0132]  ブロック１０１０において、第２のセルとＵＥとの間でサービスされる第２のトラフィックボリュームが決定される。ブロック１０１０における動作は、いくつかのケースでは、トラフィックボリューム決定モジュール７２０を、図７Ａを参照して記載された他の構成要素とともに、第２のセルトラフィック決定モジュール７７５を、図７Ｂを参照して記載された他の構成要素とともに、および／またはｅＮＢセル管理モジュール８７０を、図８を参照して記載された他の構成要素とともに使って実施され得る。
【０１２５】
[0133]  ブロック１０１５において、第１のトラフィックボリュームおよび第２のトラフィックボリュームのうちの少なくとも１つが、ワイヤレス通信ネットワークのノードに報告され、第１のトラフィックボリュームおよび第２のトラフィックボリュームは、トラフィックの同じストリームに関連付けられる。ブロック１０１５における動作は、いくつかのケースでは、トラフィックボリューム決定モジュール７２０および／もしくは７２０−ａを、図７Ａおよび／もしくは図７Ｂを参照して記載された他の構成要素とともに、ならびに／またはｅＮＢセル管理モジュール８７０を、図８を参照して記載された他の構成要素とともに使って実施され得る。
【０１２６】
[0134]  したがって、方法１０００は、たとえば、異なるセルによってサービスされるトラフィックボリュームに関連付けられた異なる課金を可能にするために、異なるセルに関連付けられたトラフィックボリュームが与えられ得るワイヤレス通信を提供することができる。方法１０００は一実装形態にすぎず、方法１０００の動作は、他の実装形態が可能であるように並べ替えられ、または場合によっては修正され得ることに留意されたい。
【０１２７】
[0135]  図１１は、本開示の態様による、ワイヤレス通信の方法の一例を概念的に示すフローチャート１１００である。明快のために、方法１１００について、図１、図２、図３、図５、図６、図７Ａ、図７Ｂ、および／または図８に関して説明したアクセスポイント、セル、ｅＮＢまたはデバイス１０５、２０５、３０５、５０５、６０５、７０５、７５５および／または８０５の各々を参照しながら以下で説明する。一例では、アクセスノードまたはデバイスは、以下で説明する機能を実施するためにアクセスノードまたはデバイスの機能要素を制御するためのコードの１つまたは複数のセットを実行し得る。
【０１２８】
[0136]  ブロック１１０５において、第１のトラフィックボリュームを通信するために、第１のセルとＵＥとの間で、第１のワイヤレス接続がサービスされる。ブロック１１０５における動作は、いくつかのケースでは、受信機モジュール７１０および送信機モジュール７３０を、図７Ａを参照して記載された他の構成要素とともに、受信機モジュール７１２および送信機モジュール７３２を、図７Ｂを参照して記載された他の構成要素とともに、ならびに／またはトランシーバモジュール８５５およびアンテナ８６０を、図８を参照して記載された他の構成要素とともに使って実施され得る。
【０１２９】
[0137]  ブロック１１１０において、第２のトラフィックボリュームを通信するために、第２のセルとＵＥとの間で、第２のワイヤレス接続がサービスされる。ブロック１１１０における動作は、いくつかのケースでは、受信機モジュール７１０および送信機モジュール７３０を、図７Ａを参照して記載された他の構成要素とともに、受信機モジュール７１２および送信機モジュール７３２を、図７Ｂを参照して記載された他の構成要素とともに、ならびに／またはトランシーバモジュール８５５およびアンテナ８６０を、図８を参照して記載された他の構成要素とともに使って実施され得る。
【０１３０】
[0138]  ブロック１１１５において、第１のトラフィックボリュームおよび第２のトラフィックボリュームのうちの少なくとも１つが決定される。ブロック１１１５における動作は、いくつかのケースでは、トラフィックボリューム決定モジュール７２０を、図７Ａを参照して記載された他の構成要素とともに、第１のセルトラフィック決定モジュール７６５および／もしくは第２のセルトラフィック決定モジュール７７５を、図７Ｂを参照して記載された他の構成要素とともに、ならびに／またはｅＮＢセル管理モジュール８７０を、図８を参照して記載された他の構成要素とともに使って実施され得る。
【０１３１】
[0139]  ブロック１１２０において、第１のトラフィックボリュームおよび第２のトラフィックボリュームのうちの少なくとも１つが、アクセスノードから別のノードに報告される。ブロック１１２０における動作は、いくつかのケースでは、トラフィックボリューム決定モジュール７２０および／もしくは７２０−ａを、図７Ａおよび／もしくは図７Ｂを参照して記載された他の構成要素とともに、ならびに／またはｅＮＢセル管理モジュール８７０を、図８を参照して記載された他の構成要素とともに使って実施され得る。
【０１３２】
[0140]  したがって、方法１１００は、たとえば、異なるセルによってサービスされるトラフィックボリュームに関連付けられた異なる課金を可能にするために、異なるセルに関連付けられたトラフィックボリュームが与えられ得るワイヤレス通信を提供することができる。方法１１００は一実装形態にすぎず、方法１１００の動作は、他の実装形態が可能であるように並べ替えられ、または場合によっては修正され得ることに留意されたい。
【０１３３】
[0141]  図１２は、本開示の態様による、ワイヤレス通信の方法の一例を概念的に示すフローチャート１２００である。明快のために、方法１２００について、図２、図５、図６、図７Ａ、図７Ｂ、および／または図９を参照しながら説明したネットワーク要素またはデバイス２３２、２３４、２３６、５３２、５３４、６３２、６３４、６３６、７０５、７５５、および／または９０２のうちの各々を参照しながら以下で説明する。一例では、ネットワーク要素またはデバイスは、以下で説明する機能を実施するためにネットワーク要素またはデバイスの機能要素を制御するためのコードの１つまたは複数のセットを実行し得る。
【０１３４】
[0142]  ブロック１２０５において、少なくとも第１のトラフィックボリュームおよび第２のトラフィックボリュームがＵＥ向けに受信され、第１のトラフィックボリュームは、ＵＥと第１のセルとの間の第１のワイヤレス接続を介してサービスされるトラフィックの量を示し、第２のトラフィックボリュームは、ＵＥと第２のセルとの間の第２のワイヤレス接続を介してサービスされるトラフィックの量を示す。ブロック１２０５における動作は、いくつかのケースでは、トラフィックボリューム決定モジュール７２０および／もしくは７２０−ａを、図７Ａおよび／もしくは図７Ｂを参照して記載された他の構成要素とともに、ならびに／またはトラフィックボリュームモジュール９４０を、図９を参照して記載された他の構成要素とともに使って実施され得る。
【０１３５】
[0143]  ブロック１２１０において、第１のトラフィックボリュームおよび第２のトラフィックボリュームに基づいて、課金データ記録が生成される。ブロック１２１０における動作は、いくつかのケースでは、トラフィックボリューム決定モジュール７２０および／もしくは７２０−ａを、図７Ａおよび／もしくは図７Ｂを参照して記載された他の構成要素とともに、ならびに／またはトラフィックボリュームモジュール９４０を、図９を参照して記載された他の構成要素とともに使って実施され得る。
【０１３６】
[0144]  したがって、方法１２００は、たとえば、異なるセルによってサービスされるトラフィックに関連付けられた異なる課金を可能にするために、異なるセルに関連付けられたトラフィックボリュームが与えられ得るワイヤレス通信を提供することができる。方法１２００は一実装形態にすぎず、方法１２００の動作は、他の実装形態が可能であるように並べ替えられ、または場合によっては修正され得ることに留意されたい。
【０１３７】
[0145]  図１３は、本開示の態様による、ワイヤレス通信の方法の一例を概念的に示すフローチャート１３００である。明快のために、方法１３００について、図２、図５、図６、図７Ａ、図７Ｂ、および／または図９を参照しながら説明したネットワーク要素またはデバイス２３２、２３４、２３６、５３２、５３４、６３２、６３４、６３６、７０５、７５５、および／または９０２のうちの各々を参照しながら以下で説明する。一例では、ネットワーク要素またはデバイスは、以下で説明する機能を実施するためにネットワーク要素またはデバイスの機能要素を制御するためのコードの１つまたは複数のセットを実行し得る。
【０１３８】
[0146]  ブロック１３０５において、第１のセルとＵＥとの間の第１のワイヤレス接続と、第２のセルとＵＥとの間の第２のワイヤレス接続とをサービスするアクセスノードから、ＵＥ向けの少なくとも第１のトラフィックボリュームと第２のトラフィックボリュームとを受信し、第１のトラフィックボリュームは、第１のワイヤレス接続を介してサービスされるトラフィックの量を示し、第２のトラフィックボリュームは、第２のワイヤレス接続を介してサービスされるトラフィックの量を示す。ブロック１３０５における動作は、いくつかのケースでは、トラフィックボリューム決定モジュール７２０および／もしくは７２０−ａを、図７Ａおよび／もしくは図７Ｂを参照して記載された他の構成要素とともに、ならびに／またはトラフィックボリュームモジュール９４０を、図９を参照して記載された他の構成要素とともに使って実施され得る。
【０１３９】
[0147]  ブロック１３１０において、第１のトラフィックボリュームおよび第２のトラフィックボリュームに基づいて、課金データ記録が生成される。ブロック１３１０における動作は、いくつかのケースでは、トラフィックボリューム決定モジュール７２０および／もしくは７２０−ａを、図７Ａおよび／もしくは図７Ｂを参照して記載された他の構成要素とともに、ならびに／またはトラフィックボリュームモジュール９４０を、図９を参照して記載された他の構成要素とともに使って実施され得る。
【０１４０】
[0148]  したがって、方法１３００は、たとえば、異なるセルによってサービスされるトラフィックに関連付けられた異なる課金を可能にするために、異なるセルに関連付けられたトラフィックボリュームが与えられ得るワイヤレス通信を提供することができる。方法１３００は一実装形態にすぎず、方法１３００の動作は、他の実装形態が可能であるように並べ替えられ、または場合によっては修正され得ることに留意されたい。
【０１４１】
[0149]  添付の図面に関して上記に記載された発明を実施するための形態は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の例よりも有利な」を意味しない。発明を実施するための形態は、説明された技法の理解を与えるために、具体的な詳細を含む。しかしながら、これらの技法は、これらの特定の詳細なしに実践される場合がある。いくつかの事例では、説明した実施形態の概念を不明瞭にすることを回避するために、よく知られている構造およびデバイスがブロック図の形式で示されている。
【０１４２】
[0150]  情報および信号は、多種多様な技術および技法のいずれかを使用して表される場合がある。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１４３】
[0151]  本明細書の開示に関して記載された様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書に記載された機能を実施するように設計されたそれらの任意の組合せを用いて実装または実施される場合がある。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装される場合がある。いくつかの場合、プロセッサは、メモリと電子的に通信していてもよく、メモリは、プロセッサによって実行可能な命令を記憶する。
【０１４４】
[0152]  本明細書で説明された機能は、ハードウェア、プロセッサによって実行されるソフトウェア、ファームウェア、またはそれらの任意の組合せで実現され得る。プロセッサによって実行されるソフトウェアで実装される場合、機能は、１つまたは複数の命令またはコードとしてコンピュータ可読媒体上に記憶され、またはコンピュータ可読媒体を介して送信され得る。他の例および実装形態が、本開示および添付の特許請求の範囲および趣旨内にある。たとえば、ソフトウェアの性質により、上で説明された機能は、プロセッサ、ハードウェア、ファームウェア、配線、またはこれらのうちのいずれかの組合せによって実行されるソフトウェアを使用して実装され得る。機能を実装する特徴はまた、機能の一部が異なる物理的位置において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１４５】
[0153]  コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、任意の接続がコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１４６】
[0154]  本開示の前の説明は、当業者が本開示を作製または使用することを可能にするために提供される。本開示への様々な変更は当業者には容易に明らかであり、本明細書において定義された一般原理は、本開示の趣旨または範囲から逸脱することなく他の変形形態に適用される場合がある。本開示全体にわたって、「例」または「例示的」という用語は、一例または一事例を示すものであり、言及された例についての選好を暗示せず、または要求しない。したがって、本開示は、本明細書で説明される例および設計に限定されるべきでなく、本明細書で開示される原理および新規の特徴に一致する最も広い範囲を与えられるべきである。
【図１】
2018038061.tif 000007
【図２】
2018038061.tif 000008
【図３】
2018038061.tif 000009
【図４】
2018038061.tif 000010
【図５】
2018038061.tif 000011
【図６Ａ】
2018038061.tif 000012
【図６Ｂ】
2018038061.tif 000013
【図７Ａ】
2018038061.tif 000014
【図７Ｂ】
2018038061.tif 000015
【図８】
2018038061.tif 000016
【図９】
2018038061.tif 000017
【図１０】
2018038061.tif 000018
【図１１】
2018038061.tif 000019
【図１２】
2018038061.tif 000020
【図１３】
2018038061.tif 000021
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるワイヤレス通信のための方法であって、
第１のセルとユーザ機器（ＵＥ）との間でサービスされる第１のトラフィックボリュームを決定することと、
第２のセルと前記ＵＥとの間でサービスされる第２のトラフィックボリュームを決定することと、
前記第１のトラフィックボリュームおよび前記第２のトラフィックボリュームのうちの少なくとも１つを前記ワイヤレス通信ネットワークのノードに報告することと
を備える方法。
【手続補正２】
【補正対象書類名】明細書
【補正対象項目名】０１４６
【補正方法】変更
【補正の内容】
【０１４６】
[0154]  本開示の前の説明は、当業者が本開示を作製または使用することを可能にするために提供される。本開示への様々な変更は当業者には容易に明らかであり、本明細書において定義された一般原理は、本開示の趣旨または範囲から逸脱することなく他の変形形態に適用される場合がある。本開示全体にわたって、「例」または「例示的」という用語は、一例または一事例を示すものであり、言及された例についての選好を暗示せず、または要求しない。したがって、本開示は、本明細書で説明される例および設計に限定されるべきでなく、本明細書で開示される原理および新規の特徴に一致する最も広い範囲を与えられるべきである。
以下に本願の出願当初の特許請求の範囲に記載された発明を付記する。
[Ｃ１]  ワイヤレス通信ネットワークにおけるワイヤレス通信のための方法であって、
第１のセルとユーザ機器（ＵＥ）との間でサービスされる第１のトラフィックボリュームを決定することと、
第２のセルと前記ＵＥとの間でサービスされる第２のトラフィックボリュームを決定することと、
前記第１のトラフィックボリュームおよび前記第２のトラフィックボリュームのうちの少なくとも１つを前記ワイヤレス通信ネットワークのノードに報告することと
を備える方法。
[Ｃ２]  前記第１のトラフィックボリュームおよび前記第２のトラフィックボリュームは、トラフィックの同じストリームに関連付けられる、Ｃ１に記載の方法。
[Ｃ３]  前記第１のトラフィックボリュームまたは前記第２のトラフィックボリュームのうちの１つまたは複数は、アクセスポイント名（ＡＰＮ）、デフォルトのデータベアラ、専用データベアラ、ＩＰフロー、またはＴＣＰ接続のうちの１つまたは複数に関連付けられたトラフィックを備える、Ｃ１に記載の方法。
[Ｃ４]  前記第１のトラフィックボリュームは、前記第２のトラフィックボリュームとは異なるように課金される、Ｃ１に記載の方法。
[Ｃ５]  前記第１のセルはライセンス無線周波数スペクトル帯域を使用し、前記第２のセルは非ライセンス無線周波数スペクトル帯域を使用する、Ｃ１に記載の方法。
[Ｃ６]  前記第１のセルと前記第２のセルは異なる無線アクセス技術（ＲＡＴ）を使用する、Ｃ１に記載の方法。
[Ｃ７]  前記第１のトラフィックボリュームおよび前記第２のトラフィックボリュームは、ダウンリンクトラフィックボリュームまたはアップリンクトラフィックボリュームのうちの１つまたは複数について決定される、Ｃ１に記載の方法。
[Ｃ８]  前記第１のトラフィックボリュームおよび前記第２のトラフィックボリュームはデータトラフィックボリュームを備える、Ｃ１に記載の方法。
[Ｃ９]  前記第１のトラフィックボリュームおよび前記第２のトラフィックボリュームは、無線リソース制御（ＲＲＣ）シグナリングトラフィックボリューム、ネットワークアクセス層（ＮＡＳ）シグナリングトラフィックボリューム、および制御チャネル物理シグナリングトラフィックボリュームのうちの少なくとも１つを備える、Ｃ１に記載の方法。
[Ｃ１０]  前記第１のトラフィックボリュームおよび前記第２のトラフィックボリュームは、前記第１のセルおよび前記第２のセルによってサービスされる各無線ベアラ向けのトラフィックボリュームを備える、Ｃ１に記載の方法。
[Ｃ１１]  前記第１のトラフィックボリュームおよび前記第２のトラフィックボリュームのうちの１つまたは複数は、前記第１のセルおよび前記第２のセルによって提供される各サービスデータフロー（ＳＤＦ）向けのトラフィックボリュームを備える、Ｃ１に記載の方法。
[Ｃ１２]  前記第１のトラフィックボリュームおよび前記第２のトラフィックボリュームは、Ｓ１−Ｕインターフェース、ＧＴＰ−Ｕヘッダ、Ｓ１−ＭＭＥインターフェース、または課金データ機能（ＣＤＦ）のうちの１つまたは複数を使って報告される、Ｃ１に記載の方法。
[Ｃ１３]  前記第１のトラフィックボリュームおよび前記第２のトラフィックボリュームの前記報告は定期的に実施される、Ｃ１に記載の方法。
[Ｃ１４]  ワイヤレス通信ネットワークにおける第１のネットワーク要素によって、ユーザ機器（ＵＥ）課金情報を決定するための方法であって、
前記ＵＥについての少なくとも第１のトラフィックボリュームと第２のトラフィックボリュームとを受信することと、ここにおいて、前記第１のトラフィックボリュームは、前記ＵＥと第１のセルとの間でサービスされるトラフィックの量を示し、前記第２のトラフィックボリュームは、前記ＵＥと第２のセルとの間でサービスされるトラフィックの量を示す、
前記第１のトラフィックボリュームおよび前記第２のトラフィックボリュームに基づいて課金データ記録を生成することと
を備える方法。
[Ｃ１５]  前記第１および第２のトラフィックボリュームは、前記ＵＥに与えられるトラフィックの同じストリームに関連付けられる、Ｃ１４に記載の方法。
[Ｃ１６]  前記受信された第１のトラフィックボリュームと前記第２のトラフィックボリュームとを第２のネットワーク要素にフォワードすることをさらに備え、ここにおいて、前記第１のネットワーク要素は、モビリティ管理エンティティ（ＭＭＥ）またはサービングゲートウェイのうちの１つまたは複数を備え、前記第２のネットワーク要素は、サービングゲートウェイまたはパケットデータネットワークゲートウェイのうちの１つまたは複数を備える、Ｃ１４に記載の方法。
[Ｃ１７]  前記課金データ記録を生成することは、
第１の課金レートに基づいて、前記第１のトラフィックボリュームについての課金を算出することと、
前記第１の課金レートとは異なる第２の課金レートに基づいて、前記第２のトラフィックボリュームについての課金を算出することとを備える、Ｃ１４に記載の方法。
[Ｃ１８]  前記第２のセルと前記ＵＥとの間の第２のワイヤレス接続は、非ライセンス無線周波数スペクトル帯域を使って確立される、Ｃ１４に記載の方法。
[Ｃ１９]  第２のワイヤレス接続と第１のワイヤレス接続は、異なる無線アクセス技術（ＲＡＴ）を使用する、Ｃ１４に記載の方法。
[Ｃ２０]  ワイヤレス通信ネットワークにおけるワイヤレス通信のための装置であって、
第１のセルとユーザ機器（ＵＥ）との間でサービスされる第１のトラフィックボリュームを決定するための第１のトラフィック決定モジュールと、
第２のセルと前記ＵＥとの間でサービスされる第２のトラフィックボリュームを決定するための第２のトラフィック決定モジュールと、
前記第１のトラフィックボリュームおよび前記第２のトラフィックボリュームのうちの少なくとも１つを前記ワイヤレス通信ネットワークのノードに報告するためのセル管理モジュールと
を備える装置。
[Ｃ２１]  前記第１のトラフィックボリュームおよび前記第２のトラフィックボリュームは、トラフィックの同じストリームに関連付けられる、Ｃ２０に記載の装置。
[Ｃ２２]  前記第１のトラフィックボリュームは、前記第２のトラフィックボリュームとは異なるように課金される、Ｃ２０に記載の方法。
[Ｃ２３]  前記第１のセルはライセンス無線周波数スペクトル帯域を使用し、前記第２のセルは非ライセンス無線周波数スペクトル帯域を使用する、Ｃ２０に記載の装置。
[Ｃ２４]  前記第１のセルと前記第２のセルは異なる無線アクセス技術（ＲＡＴ）を使用する、Ｃ２０に記載の装置。
[Ｃ２５]  前記第１のトラフィックボリュームおよび前記第２のトラフィックボリュームは、Ｓ１−Ｕインターフェース、ＧＴＰ−Ｕヘッダ、Ｓ１−ＭＭＥインターフェース、または課金データ機能（ＣＤＦ）のうちの１つまたは複数を使って報告される、Ｃ２０に記載の装置。
[Ｃ２６]  ワイヤレス通信ネットワークにおける第１のネットワーク要素によって、ユーザ機器（ＵＥ）課金情報を決定するための装置であって、
前記ＵＥ向けの少なくとも第１のトラフィックボリュームと第２のトラフィックボリュームとを受信するためのトラフィックボリュームモジュールと、ここにおいて、前記第１のトラフィックボリュームは、前記ＵＥと第１のセルとの間でサービスされるトラフィックの量を示し、前記第２のトラフィックボリュームは、前記ＵＥと第２のセルとの間でサービスされるトラフィックの量を示す、
前記第１のトラフィックボリュームおよび前記第２のトラフィックボリュームに基づいて課金データ記録を生成するための識別モジュールと
を備える装置。
[Ｃ２７]  前記第１および第２のトラフィックボリュームは、前記ＵＥに与えられるトラフィックの同じストリームに関連付けられる、Ｃ２６に記載の装置。
[Ｃ２８]  前記受信された第１のトラフィックボリュームと前記第２のトラフィックボリュームとを第２のネットワーク要素にフォワードするための通信管理モジュールをさらに備え、ここにおいて、前記第１のネットワーク要素は、モビリティ管理エンティティ（ＭＭＥ）またはサービングゲートウェイのうちの１つまたは複数を備え、前記第２のネットワーク要素は、サービングゲートウェイまたはパケットデータネットワークゲートウェイのうちの１つまたは複数を備える、Ｃ２６に記載の装置。
[Ｃ２９]  前記第２のセルと前記ＵＥとの間の第２のワイヤレス接続は、非ライセンス無線周波数スペクトル帯域を使って確立される、Ｃ２６に記載の装置。
[Ｃ３０]  第２のワイヤレス接続と第１のワイヤレス接続は異なる無線アクセス技術（ＲＡＴ）を使用する、Ｃ２６に記載の装置。
【外国語明細書】
2018038061000001.pdf